(57)【特許請求の範囲】
【請求項１】
ユーザ端末（ＵＥ）に対するモビリティ手続きの通知を受信し、複数のホーム進化型ノードＢ（ＨｅＮＢ）を有する前記ＵＥのローカルホームネットワークが変化するか否かを決定し、前記ＵＥの前記ローカルホームネットワークが変化する場合、前記ＵＥのローカルゲートウェイによる（Ｌ−ＧＷによる）パケットデータネットワーク接続（ＰＤＮ接続）を解放することを決定し、前記ＵＥの前記ローカルホームネットワークが変化しない場合、前記Ｌ−ＧＷによるＰＤＮ接続を維持することを決定し、前記Ｌ−ＧＷによるＰＤＮ接続が解放されるべきという決定に応答して、デタッチ要求メッセージまたはセッション削除要求メッセージのいずれかを送信することにより、前記Ｌ−ＧＷによるＰＤＮ接続を解放する処理を開始するプロセッサ回路を備える、進化型パケットコアノード（ＥＰＣノード）。
【請求項２】
前記Ｌ−ＧＷによるＰＤＮ接続は、ローカルネットワークにおいて選択されたインターネットプロトコルトラフィックのオフロード（ＳＩＰＴＯ@ＬＮ）によるＰＤＮ接続を含む、請求項１に記載のＥＰＣノード。
【請求項３】
前記プロセッサ回路は、前記Ｌ−ＧＷによるＰＤＮ接続が前記ＵＥの唯一のＰＤＮ接続を含むという決定に応答して、デタッチ要求メッセージを送信することにより、前記Ｌ−ＧＷによるＰＤＮ接続を解放するために、モビリティ管理エンティティ（ＭＭＥ）開始デタッチ処理を開始する、請求項１に記載のＥＰＣノード。
【請求項４】
前記プロセッサ回路は、前記Ｌ−ＧＷによるＰＤＮ接続が前記ＵＥの唯一のＰＤＮ接続を含むのではないという決定に応答して、セッション削除要求メッセージを送信することにより、前記Ｌ−ＧＷによるＰＤＮ接続を解放するためのモビリティ管理エンティティ（ＭＭＥ）要求ＰＤＮ切断処理を開始する、請求項１に記載のＥＰＣノード。
【請求項５】
前記プロセッサ回路は、再アクティブ化要求原因を有する前記セッション削除要求メッセージを送信する、請求項４に記載のＥＰＣノード。
【請求項６】
前記プロセッサ回路は、前記モビリティ手続きの後で、前記デタッチ要求メッセージまたは前記セッション削除要求メッセージのいずれかを送信する、請求項１に記載のＥＰＣノード。
【請求項７】
前記モビリティ手続きは、トラッキングエリア更新（ＴＡＵ）を含む、請求項１に記載のＥＰＣノード。
【請求項８】
前記モビリティ手続きは、ハンドオーバを含む、請求項１に記載のＥＰＣノード。
【請求項９】
無線周波数（ＲＦ）送受信機と、１つまたは複数のＲＦアンテナと、を備える、請求項１から８のいずれか１項に記載のＥＰＣノード。
【請求項１０】
その少なくとも一部がハードウェアにあるロジックを備え、前記ロジックは、ユーザ端末（ＵＥ）に対するモビリティ手続き中に受信されるモビリティ手続き制御メッセージに基づいて、前記モビリティ手続きが前記ＵＥのローカルホームネットワークを変化させることを決定し、前記モビリティ手続きが前記ＵＥの前記ローカルホームネットワークを変化させることの前記決定に基づいて、ローカルネットワークにおいて選択されたインターネットプロトコルトラフィックのオフロード（ＳＩＰＴＯ@ＬＮ）によるＵＥのパケットデータネットワーク接続（ＰＤＮ接続）を解放することを決定し、前記モビリティ手続きの後で、前記ＳＩＰＴＯ@ＬＮ  ＰＤＮ接続の非アクティブ化を実行する、モビリティ管理エンティティ（ＭＭＥ）。
【請求項１１】
前記ロジックは、前記ＳＩＰＴＯ@ＬＮ  ＰＤＮ接続が前記ＵＥの唯一のＰＤＮ接続を含むのではないという決定に応答して、ＭＭＥ要求ＰＤＮ切断手続きを開始することによって、前記ＳＩＰＴＯ@ＬＮ  ＰＤＮ接続の前記非アクティブ化を実行する、請求項１０に記載のＭＭＥ。
【請求項１２】
前記ロジックは、再アクティブ化要求原因を有する前記ＭＭＥ要求ＰＤＮ切断手続きを開始する、請求項１１に記載のＭＭＥ。
【請求項１３】
前記ロジックは、前記ＳＩＰＴＯ@ＬＮ  ＰＤＮ接続が前記ＵＥの唯一のＰＤＮ接続を含むという決定に応答してＭＭＥ開始デタッチ手続きを開始することによって、前記ＳＩＰＴＯ@ＬＮ  ＰＤＮ接続の前記非アクティブ化を実行する、請求項１０に記載のＭＭＥ。
【請求項１４】
前記モビリティ手続きは、トラッキングエリア更新手続き（ＴＡＵ手続き）を含み、前記モビリティ手続き制御メッセージは、コンテキスト応答メッセージを含む、請求項１０に記載のＭＭＥ。
【請求項１５】
前記モビリティ手続きは、ハンドオーバ手続きを含み、前記モビリティ手続き制御メッセージは、優先再配置要求メッセージを含む、請求項１０に記載のＭＭＥ。
【請求項１６】
前記ロジックは、前記モビリティ手続き制御メッセージを前記ＵＥの前のサービングＭＭＥから受信する、請求項１０に記載のＭＭＥ。
【請求項１７】
前記ロジックは、Ｓ１０インタフェース接続によって前記モビリティ手続き制御メッセージを受信する、請求項１０に記載のＭＭＥ。
【請求項１８】
モビリティ管理エンティティ（ＭＭＥ）上で実行されたことに応答して、前記ＭＭＥに、
ユーザ端末（ＵＥ）に対するトラッキングエリア更新手続き（ＴＡＵ手続き）の通知を受信し、
前記ＴＡＵ手続き中に、前記ＵＥのローカルネットワークにおいて選択されたインターネットプロトコルトラフィックのオフロード（ＳＩＰＴＯ@ＬＮ）によるパケットデータネットワーク接続（ＰＤＮ接続）を特定し、かつ、前記ＵＥのローカルホームネットワーク識別子（ＬＨＮ−ＩＤ）を特定するコンテキスト応答メッセージを受信し、
前記ＵＥのローカルホームネットワークが前記ＴＡＵ手続きに従って変化するか否かを前記ＬＨＮ−ＩＤに基づいて決定し、
前記ＵＥの前記ローカルホームネットワークが前記ＴＡＵ手続きに従って変化する場合、前記ＳＩＰＴＯ@ＬＮ  ＰＤＮ接続の解放を指示することを決定し、
前記ＵＥの前記ローカルホームネットワークが前記ＴＡＵ手続きに従って変化しない場合、前記ＳＩＰＴＯ@ＬＮ  ＰＤＮ接続の前記解放を指示しないことを決定させる、プログラム。
【請求項１９】
前記ＭＭＥ上で実行されたことに応答して、前記ＭＭＥに、前記ＳＩＰＴＯ@ＬＮ  ＰＤＮ接続が前記ＵＥの唯一のＰＤＮ接続であることを決定させる、請求項１８に記載のプログラム。
【請求項２０】
前記ＭＭＥ上で実行されたことに応答して、前記ＭＭＥに、前記ＳＩＰＴＯ@ＬＮ  ＰＤＮ接続が前記ＵＥの唯一のＰＤＮ接続ではないという決定に基づいて、ＰＤＮ切断手続きを開始することによって前記ＳＩＰＴＯ@ＬＮ  ＰＤＮ接続の前記解放を指示させる、請求項１９に記載のプログラム。
【請求項２１】
前記ＭＭＥ上で実行されたことに応答して、前記ＭＭＥに、再アクティブ化要求原因を有する前記ＰＤＮ切断手続きを開始させる、請求項２０に記載のプログラム。
【請求項２２】
前記ＭＭＥ上で実行されたことに応答して、前記ＭＭＥに、前記ＳＩＰＴＯ@ＬＮ  ＰＤＮ接続が前記ＵＥの唯一のＰＤＮ接続であるという決定に基づいてデタッチ手続きを開始することによって、前記ＳＩＰＴＯ@ＬＮ  ＰＤＮ接続の前記解放を指示させる、請求項１９に記載のプログラム。
【請求項２３】
前記ＭＭＥは、前記ＴＡＵ手続きの後で、前記ＵＥの新たなＭＭＥを備え、前記ＭＭＥは、前記ＵＥの古いＭＭＥからコンテキスト応答メッセージを受信する、請求項１８に記載のプログラム。
【請求項２４】
ユーザ端末（ＵＥ）のハンドオーバに対するターゲットモビリティ管理エンティティ（ＭＭＥ）において、再配置転送要求を受信する段階と、
プロセッサ回路によって、前記再配置転送要求と前記ＵＥのローカルホームネットワーク（ＬＨＮ）が前記ＵＥの前記ハンドオーバ中に変化しないという決定とに基づいて、前記ＵＥのローカルゲートウェイによる（Ｌ−ＧＷによる）パケットデータネットワーク接続（ＰＤＮ接続）が切断されるべきであると決定する段階と、
前記Ｌ−ＧＷによるＰＤＮ接続が前記ＵＥの単独のＰＤＮ接続を含むか否かの決定に基づいて、前記Ｌ−ＧＷによるＰＤＮ接続を切断するための処理を選択する段階と、
を備える、方法。
【請求項２５】
前記Ｌ−ＧＷによるＰＤＮ接続は、ローカルネットワークにおいて選択されたインターネットプロトコルトラフィックのオフロード（ＳＩＰＴＯ@ＬＮ）によるＰＤＮ接続を含む、請求項２４に記載の方法。
【請求項２６】
前記選択された処理を開始することによって、前記ＵＥの前記ハンドオーバの後で、前記Ｌ−ＧＷによるＰＤＮ接続を切断する段階を備える、請求項２４に記載の方法。
【請求項２７】
前記Ｌ−ＧＷによるＰＤＮ接続が前記ＵＥの単独のＰＤＮ接続を含むという決定に応答して、ＭＭＥ開始デタッチ処理を選択する段階を備える、請求項２４に記載の方法。
【請求項２８】
前記Ｌ−ＧＷによるＰＤＮ接続が前記ＵＥの前記単独のＰＤＮ接続を含まないという決定に応答して、ＭＭＥ要求によるＰＤＮ切断処理を選択する段階を備える、請求項２４に記載の方法。
【請求項２９】
再アクティブ化要求原因を有する前記ＭＭＥ要求によるＰＤＮ切断処理を開始する段階を備える、請求項２８に記載の方法。
【請求項３０】
前記ＵＥの前記ハンドオーバに対するソースＭＭＥから前記再配置転送要求を受信する段階を備える、請求項２４に記載の方法。
【発明の詳細な説明】
【技術分野】
【０００１】
［関連出願］
本願は、２０１３年３月２９日出願の米国仮特許出願第６１／８０６，８２１号に対する優先権を主張し、その全体は、参照として本明細書に組み込まれる。
【０００２】
本明細書の複数の実施形態は、概して、ブロードバンド無線通信ネットワークにおける複数のデバイス間の通信に関する。
【背景技術】
【０００３】
Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ（Ｅ−ＵＴＲＡＮ）のような無線ネットワークにおいて、ホーム進化型ノードＢ（ＨｅＮＢ）は、オフィスまたは住居のような比較的小さいエリア内で無線ネットワークアクセスを提供するフェムトセルを実装するために配置されてもよい。様々な実装において、ローカルゲートウェイ（Ｌ−ＧＷ）は、ＨｅＮＢによってサービスされる一般的なエリア内のパケットデータネットワーク（ＰＤＮ）アクセスを改善するために、ＨｅＮＢと併せて配置されてもよい。いくつかの場合、Ｌ−ＧＷは、ＨｅＮＢと共に配置されてもよい。以下、このようなＬ−ＧＷは、「配置されたＬ−ＧＷ」と称されるものとする。他の複数の場合には、Ｌ−ＧＷは、スタンドアロンゲートウェイ（ＧＷ）において、サービングゲートウェイ（Ｓ−ＧＷ）と共に配置されてもよい。以下、このようなＬ−ＧＷは、「スタンドアロンＬ−ＧＷ」と称されるものとする。
【０００４】
ＨｅＮＢによってサービスされるユーザ端末（ＵＥ）は、Ｌ−ＧＷを用いることにより、インターネットのようなＰＤＮとの通信をより直接的に行ってもよい。より詳細には、ＵＥは、ローカルネットワークにおいて選択されたインターネットプロトコル（ＩＰ）トラフィックのオフロード（Ｓｅｌｅｃｔｅｄ  Ｉｎｔｅｒｎｅｔ  Ｐｒｏｔｏｃｏｌ（ＩＰ）  Ｔｒａｆｆｉｃ  Ｏｆｆｌｏａｄ  ａｔ  ｔｈｅ  Ｌｏｃａｌ  Ｎｅｔｗｏｒｋ）（ＳＩＰＴＯ@ＬＮ）によるＰＤＮ接続を用いることにより、コアパケットネットワークを介してではなく、Ｌ−ＧＷを介してＰＤＮと通信を行ってもよい。モビリティイベントが発生し、これに従ってＵＥがＬ−ＧＷのカバレージエリアから離れるように移動する場合、ＳＩＰＴＯ@ＬＮ  ＰＤＮ接続は解放されることが必要であり、及び／または望ましい。しかしながら、従来の接続管理技術は、いくつかのＳＩＰＴＯ@ＬＮ  ＰＤＮ接続を解放するために、適切なまたは最適な手続きを定義していないことがある。
【図面の簡単な説明】
【０００５】
【図１】第１の動作環境の実施形態を示す。
【図２】第２の動作環境の実施形態を示す。
【図３】第３の動作環境の実施形態を示す。
【図４】第４の動作環境の実施形態を示す。
【図５】装置の実施形態及びシステムの実施形態を示す。
【図６】第１のロジックフローの実施形態を示す。
【図７】第２のロジックフローの実施形態を示す。
【図８】第３のロジックフローの実施形態を示す。
【図９】記憶媒体の実施形態を示す。
【図１０】デバイスの実施形態を示す。
【図１１】無線ネットワークの実施形態を示す。
【発明を実施するための形態】
【０００６】
様々な実施形態は、概して、無線ネットワークモビリティ手続きの接続管理技術を対象としてもよい。一実施形態において、例えば、進化型パケットコアノード（ＥＰＣノード）は、ユーザ端末（ＵＥ）のモビリティ手続きの通知を受信し、ＵＥのローカルゲートウェイによる（Ｌ−ＧＷによる）パケットデータネットワーク接続（ＰＤＮ接続）を解放するか否かを決定し、Ｌ−ＧＷによるＰＤＮ接続が解放されるという決定に応答して、Ｌ−ＧＷによるＰＤＮ接続を解放する処理を開始するために、デタッチ要求メッセージまたはセッション削除要求メッセージのいずれかを送信するプロセッサ回路を備えてもよい。複数の他の実施形態が、説明され、特許請求の範囲に記載される。
【０００７】
複数の様々な実施形態は、１つまたは複数の要素を備えてもよい。要素は、特定の複数の動作を実行するように構成される任意の構造を備えてもよい。各要素は、複数の設計パラメータまたは複数の性能の制約の所与のセットに対して所望の、ハードウェア、ソフトウェアまたはそれらの任意の組み合わせとして実装されてもよい。実施形態は、例として、特定のトポロジの限定的な数の要素で説明されてもよいが、複数の実施形態は、所与の実装に望ましい複数の代替トポロジで多かれ少なかれ複数の要素を含んでもよい。「一実施形態」または「実施形態」というあらゆる記載は、実施形態に関して説明される特定の特徴、構造または特性が、少なくとも１つの実施形態に含まれることを意味することに留意すべきである。本明細書の様々な箇所に登場する「一実施形態において」、「いくつかの実施形態において」及び「様々な実施形態において」という用語は、必ずしも全てが同じ実施形態を指すものではない。
【０００８】
本明細書に開示される複数の技術は、１つまたは複数の無線のモバイルブロードバンド技術を用いた１つまたは複数の無線接続によるデータ送信を含んでもよい。例えば、様々な実施形態は、１つまたは複数の第３世代パートナシッププロジェクト（３ＧＰＰ）、３ＧＰＰロングタームエボリューション（ＬＴＥ）及び／または３ＧＰＰ  ＬＴＥアドバンスド（ＬＴＥ−Ａ）技術、及び／またはこれらの複数の改訂、後継または改編を含む複数の規格による１つまたは複数の無線接続による送信を含んでもよい。
【０００９】
様々な実施形態は、さらにまたは代替的に、１つまたは複数のＧｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））／Ｅｎｈａｎｃｅｄ  Ｄａｔａ  Ｒａｔｅｓ  ｆｏｒ  ＧＳＭ（登録商標）  Ｅｖｏｌｕｔｉｏｎ（ＥＤＧＥ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）／Ｈｉｇｈ  Ｓｐｅｅｄ  Ｐａｃｋｅｔ  Ａｃｃｅｓｓ（ＨＳＰＡ）及び／またはＧＳＭ（登録商標）  ｗｉｔｈ  Ｇｅｎｅｒａｌ  Ｐａｃｋｅｔ  Ｒａｄｉｏ  Ｓｅｒｖｉｃｅ（ＧＰＲＳ）  ｓｙｓｔｅｍ（ＧＳＭ（登録商標）／ＧＰＲＳ）技術及び／またはこれらの改訂、後継または改編を含む複数の規格による複数の送信を含んでもよい。複数の無線モバイルブロードバンド技術の例は、限定的ではないが、Ｉｎｓｔｉｔｕｔｅ  ｏｆ  Ｅｌｅｃｔｒｉｃａｌ  ａｎｄ  Ｅｌｅｃｔｒｏｎｉｃｓ  Ｅｎｇｉｎｅｅｒｓ（ＩＥＥＥ）８０２．１６ｍ及び／または８０２．１６ｐ、Ｉｎｔｅｒｎａｔｉｏｎａｌ  Ｍｏｂｉｌｅ  Ｔｅｌｅｃｏｍｍｕｎｉｃａｔｉｏｎｓ  Ａｄｖａｎｃｅｄ（ＩＭＴ−ＡＤＶ）、Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ（ＷｉＭＡＸ（登録商標））及び／またはＷｉＭＡＸ  ＩＩ、コード分割多重アクセス（ＣＤＭＡ）２０００（例えば、ＣＤＭＡ２０００  １ｘＲＴＴ、ＣＤＭＡ２０００  ＥＶ−ＤＯ、ＣＤＭＡ  ＥＶ−ＤＶなど）、Ｈｉｇｈ  Ｐｅｒｆｏｒｍａｎｃｅ  Ｒａｄｉｏ  Ｍｅｔｒｏｐｏｌｉｔａｎ  Ａｒｅａ  Ｎｅｔｗｏｒｋ（ＨＩＰＥＲＭＡＮ）、Ｗｉｒｅｌｅｓｓ  Ｂｒｏａｄｂａｎｄ（ＷｉＢｒｏ）、Ｈｉｇｈ  Ｓｐｅｅｄ  Ｄｏｗｎｌｉｎｋ  Ｐａｃｋｅｔ  Ａｃｃｅｓｓ（ＨＳＤＰＡ）、Ｈｉｇｈ  Ｓｐｅｅｄ  Ｏｒｔｈｏｇｏｎａｌ  Ｆｒｅｑｕｅｎｃｙ−Ｄｉｖｉｓｉｏｎ  Ｍｕｌｔｉｐｌｅｘｉｎｇ（ＯＦＤＭ）  Ｐａｃｋｅｔ  Ａｃｃｅｓｓ（ＨＳＯＰＡ）、Ｈｉｇｈ−Ｓｐｅｅｄ  Ｕｐｌｉｎｋ  Ｐａｃｋｅｔ  Ａｃｃｅｓｓ（ＨＳＵＰＡ）技術及び／またはこれらの改訂、後継または改編を含む複数の規格のいずれかをさらに含んでもよい。複数の実施形態は、この文脈に限定されない。
【００１０】
１つまたは複数の無線接続による送信に加えて、本明細書で開示される複数の技術は、１つまたは複数の有線通信媒体を介した１つまたは複数の有線接続によるコンテンツ送信を含んでもよい。有線通信媒体の複数の例は、電線、ケーブル、金属リード線、プリント回路基板（ＰＣＢ）、バックプレーン、スイッチ、繊維、半導体材料、ツイストペア線、同軸ケーブル、光ファイバなどを含んでもよい。複数の実施形態は、この文脈に限定されない。
【００１１】
図１は、様々な実施形態の代表となり得るような動作環境１００を示す。より詳細には、動作環境１００は、ＵＥが、配置されたＬ−ＧＷを介してＳＩＰＴＯ@ＬＮ  ＰＤＮ接続を確立可能ないくつかの実施形態を代表してもよい。図１に示されるように、ＵＥ１０２は、Ｕｕインタフェース接続によってＨｅＮＢ１０４と通信を行う。ＨｅＮＢ１０４は、Ｓ１−ＭＭＥインタフェース接続によってモビリティ管理エンティティ（ＭＭＥ）１０６と通信を行い、Ｓ１−Ｕインタフェースによってサービングゲートウェイ（Ｓ−ＧＷ）１０８と通信を行う。ＭＭＥ１０６は、Ｓ１１インタフェース接続によってＳ−ＧＷ１０８と通信を行う。Ｓ−ＧＷ１０８は、Ｓ５インタフェース接続によってＰＤＮゲートウェイ（Ｐ−ＧＷ）１１０と通信を行う。Ｐ−ＧＷ１１０は、ＳＧｉインタフェース接続を介してインターネット１２０に接続する。Ｌ−ＧＷ１１２は、ＨｅＮＢ１０４と共に配置され、ＳＧｉインタフェース接続によってインターネット１２０にさらに接続する。Ｐ−ＧＷ１１０を介してインターネット１２０と通信を行うのではなく、ＵＥ１０２は、Ｌ−ＧＷ１１２を介して、インターネット１２０へのＳＩＰＴＯ@ＬＮ  ＰＤＮ接続を確立してもよい。インターネット１２０との通信にＳＩＰＴＯ@ＬＮ  ＰＤＮ接続を用いることは、ＵＥ３０２がコアパケットネットワークの利用に関連付けられたレイテンシを回避することを可能とし得る。
【００１２】
図２は、様々な実施形態を代表し得るような動作環境２００を示す。より詳細には、動作環境２００は、図１のＵＥ１０２がＨｅＮＢ１０４から離れて移動するいくつかの実施形態の代表であってもよい。図２に示されるように、モビリティイベント２０２が発生すると、これに従って、ＵＥ１０２がＨｅＮＢ１０４から離れ、ｅＮＢ２０４に向かって移動する。モビリティイベント２０２の間に、ＵＥ１０２は、ＨｅＮＢ１０４のカバレージエリア２０３を出る。ｅＮＢ２０４は、Ｓ１−ＭＭＥインタフェース接続によってＭＭＥ２０６と通信を行い、Ｓ１−ＵインタフェースによってＳ−ＧＷ２０８と通信を行う。ＭＭＥ２０６は、Ｓ１１インタフェース接続によってＳ−ＧＷ２０８と通信を行い、Ｓ−ＧＷ２０８は、Ｓ５インタフェース接続によってＰ−ＧＷ１１０と通信を行う。ＭＭＥ２０６は、Ｓ１０インタフェース接続によってＭＭＥ１０６と通信を行う。
【００１３】
モビリティイベント２０２に応答して、モビリティ手続きが実行されてもよく、これに従って、ＵＥ１０２は、ｅＮＢ２０４を介してサービス接続性を確立する。ＵＥ１０２は、Ｕｕインタフェース接続によって（不図示）ｅＮＢ２０４と通信を行ってもよい。ＵＥ１０２がモビリティイベントの時に接続モードであった場合、モビリティ手続きは、ハンドオーバ手続きのような接続モードモビリティ手続きを備えてもよい。ＵＥ１０２がモビリティイベントの時にアイドルモードであった場合、モビリティ手続きは、トラッキングエリア更新手続きまたはサービス要求手続きのようなアイドルモードモビリティ手続きを備えてもよい。ＵＥ１０２が、モビリティイベント２０２前にインターネット１２０へのＳＩＰＴＯ@ＬＮ  ＰＤＮ接続を確立していた場合、これはＨｅＮＢ１０４の範囲外に移動しているため、モビリティイベント２０２後に当該ＳＩＰＴＯ@ＬＮ  ＰＤＮ接続を用いることは不可能となり得る。ＳＩＰＴＯ@ＬＮ  ＰＤＮ接続がモビリティ手続き後に解放されること自体は、望ましいことがある。
【００１４】
図３は、様々な実施形態を代表し得るような動作環境３００を示す。より詳細には、動作環境３００は、ＵＥがスタンドアロンＬ−ＧＷを介してＳＩＰＴＯ@ＬＮ  ＰＤＮ接続を確立可能ないくつかの実施形態を代表してもよい。図３に示されるようにローカルホームネットワーク（ＬＨＮ）３０１は、ＵＥ３０２、ＨｅＮＢ３０４並びに３０６、及びＳ−ＧＷ３１０と共に配置されるＬ−ＧＷ３０８を備える。図３の例において、ＨｅＮＢ３０４は、ＵＥ３０２のサービングＨｅＮＢを備え、Ｕｕインタフェース接続によってＵＥ３０２と通信を行う。ＨｅＮＢ３０４および３０６は、個別のＳ１−Ｕインタフェース接続によってＳ−ＧＷ３１０と通信を行う。ＭＭＥ３１２、Ｓ−ＧＷ３１４及びＰ−ＧＷ３１６は、ＬＨＮ３０１の外部に位置し、これらのそれぞれは、サービスプロバイダネットワークに含まれてもよい。ＨｅＮＢ３０４および３０６は、個別のＳ１−ＭＭＥインタフェース接続によってＭＭＥ３１２と通信を行い、個別のＳ１−Ｕインタフェース接続によってＳ−ＧＷ３１４と通信を行う。ＭＭＥ３１２は、Ｓ１１インタフェース接続によってＳ−ＧＷ３１４と通信を行う。Ｓ−ＧＷ３１４は、Ｓ５インタフェース接続によってＰ−ＧＷ３１６と通信を行う。Ｐ−ＧＷ３１６は、ＳＧｉインタフェース接続を介してインターネット１２０と通信を行う。Ｐ−ＧＷ３１６を介してインターネット１２０と通信を行うのではなく、ＵＥ３０２は、Ｌ−ＧＷ３０８を介してインターネット１２０へのＳＩＰＴＯ@ＬＮ  ＰＤＮ接続を確立してもよい。インターネット１２０との通信にＳＩＰＴＯ@ＬＮ  ＰＤＮ接続を用いることは、ＵＥ３０２がコアパケットネットワークの利用に関連付けられたレイテンシを回避することを可能とし得る。
【００１５】
図４は、様々な実施形態の代表となり得る動作環境４００を示す。より詳細には、動作環境４００は、図３のＵＥ３０２がＨｅＮＢ３０４から離れるように移動するいくつかの実施形態の代表となり得る２つの例示的なモビリティイベントを示す。図４に示されるように、モビリティイベント４０２に従って、ＵＥ３０２は、ＬＨＮ３０１の外へ移動し、ｅＮＢ４０６の範囲に入る。ｅＮＢ４０６は、Ｓ１−ＭＭＥインタフェース接続によってＭＭＥ４１２と通信を行い、Ｓ１−ＵインタフェースによってＳ−ＧＷ４１４と通信を行う。ＭＭＥ４１２は、Ｓ１１インタフェース接続によってＳ−ＧＷ４１４と通信を行い、Ｓ−ＧＷ４１４は、Ｓ５インタフェース接続によってＰ−ＧＷ３１６と通信を行う。ＭＭＥ４１２は、Ｓ１０インタフェース接続によってＭＭＥ３１２とさらに通信を行う。
【００１６】
モビリティイベント４０２の結果として、ＵＥ３０２は、ＨｅＮＢ３０４の範囲から離れるように移動し、そこで、ＨｅＮＢ３０４を介してサービス接続性を得ることは、もはや不可能となる。さらに、ＵＥ３０２は、ＬＨＮ３０１の外へ移動するため、ＨｅＮＢ３０６のようなＬＨＮ３０１内の任意の他のＨｅＮＢからサービス接続性を得ることは不可能である。モビリティ手続き自体は、モビリティイベント４０２に応答して実行されてもよく、これに従って、ＵＥ３０２は、ｅＮＢ４０６を介してサービス接続性を確立する。ＵＥ３０２は、Ｕｕインタフェース接続によって（不図示）ｅＮＢ４０６と通信を行ってもよい。ＵＥ３０２が、モビリティイベントの時に接続モードである場合、モビリティ手続きは、ハンドオーバ手続きのような接続モードモビリティ手続きを備えてもよい。ＵＥ３０２が、モビリティイベントの時にアイドルモードである場合、モビリティ手続きは、トラッキングエリア更新手続きまたはサービス要求手続きのようなアイドルモードモビリティ手続きを備えてもよい。ＵＥ３０２が、モビリティイベント４０２の前にインターネット１２０へのＳＩＰＴＯ@ＬＮ  ＰＤＮ接続を確立していた場合、これは、ＬＨＮ３０１の外へ、かつＨｅＮＢ３０４および３０６の範囲外に移動するため、モビリティイベント４０２後に当該ＳＩＰＴＯ@ＬＮ  ＰＤＮ接続を用いることは不可能となり得る。ＳＩＰＴＯ@ＬＮ  ＰＤＮ接続自体は、モビリティイベント４０２に応答して実行されるモビリティ手続きの後で解放されることが望ましいことがある。
【００１７】
様々な実施形態において、モビリティイベントが発生することがあり、これに従って、ＵＥ３０２は、ＨｅＮＢ３０４の範囲外へ移動するものの、ＬＨＮ３０１内に留まることに留意すべきである。いくつかのこのような実施形態において、このようなモビリティイベントに応答して、モビリティ手続きは実行されてもよく、これに従って、ＵＥ３０２は、ＬＨＮ３０１内の他のＨｅＮＢを介してサービス接続性を確立する。例えば、モビリティイベント４０４の後で、モビリティ手続きは実行されてもよく、これに従って、ＵＥ３０２は、ＨｅＮＢ３０６を介してサービス接続性を確立する。このような場合、ＨｅＮＢ３０６を用いて、ＵＥ３０２は、インターネット１２０と通信を行うためにＬ−ＧＷ３０８を用いることをさらに可能とする。ＵＥ３０２自体が、モビリティイベント４０４前にインターネット１２０へのＳＩＰＴＯ@ＬＮ  ＰＤＮ接続を確立していた場合、モビリティイベント４０４後に、当該ＳＩＰＴＯ@ＬＮ  ＰＤＮ接続を用いることがさらに可能となり得る。そこで、ＳＩＰＴＯ@ＬＮ  ＰＤＮ接続は、モビリティイベント４０４も応答して実行されるモビリティ手続きの後で、維持されることが望ましいことがある。
【００１８】
複数の無線ネットワークモビリティ手続きのための複数の改良された接続管理技術が、本明細書に開示される。いくつかのこのような技術によれば、ＵＥに対するモビリティ手続きの後で、ＵＥのサービングＭＭＥは、ＵＥのＳＩＰＴＯ@ＬＮ  ＰＤＮ接続を解放するか否かを決定してもよい。様々な実施形態において、サービングＭＭＥは、ＵＥがそのＬＨＮを出たか否かに基づいて、ＳＩＰＴＯ@ＬＮ  ＰＤＮ接続を解放するか否かを決定してもよい。いくつかの実施形態において、サービングＭＭＥが、ＳＩＰＴＯ@ＬＮ  ＰＤＮ接続が解放されるべきであると決定した場合、これは、ＳＩＰＴＯ@ＬＮ  ＰＤＮ接続を解放する適切な手続きを、ＵＥが任意の他のＰＤＮ接続を有するか否かに基づいて、決定してもよい。様々な実施形態において、モビリティ手続きは、トラッキングエリア更新手続き（ＴＡＵ手続き）を含んでもよく、サービングＭＭＥは、ＴＡＵ手続き中にＵＥの古いＭＭＥと通信を行う新たなＭＭＥを備えてもよい。例えば、ＭＭＥ３１２がＵＥ３０２の古いＭＭＥを備え、ＭＭＥ４１２がＵＥ３０２の新たなＭＭＥを備えるＴＡＵ手続きの後で、ＭＭＥ４１２は、ＵＥ３０２のサービングＭＭＥを備えてもよい。いくつかの他の実施形態において、モビリティ手続きは、ハンドオーバ手続きを含んでもよく、サービングＭＭＥは、ハンドオーバ手続きのターゲットＭＭＥを備えてもよい。例えば、ＭＭＥ３１２がソースＭＭＥを備え、ＭＭＥ４１２がターゲットＭＭＥを備えるＵＥ３０２のハンドオーバ手続きの後で、ＭＭＥ４１２は、ＵＥ３０２のサービングＭＭＥを備えてもよい。
【００１９】
本明細書で説明される複数の技術は、ＵＥサービングＭＭＥがモビリティ手続き中に変化する複数の実施形態における用途に限定されないことに留意すべきである。様々な実施形態において、同じＭＭＥは、モビリティ手続きの前及び後の両方で、ＵＥにサービスしてもよく、当該ＭＭＥは、ＵＥのＳＩＰＴＯ@ＬＮ  ＰＤＮ接続を解放するか否かを決定してもよい。同様に、ＵＥのサービングＳ−ＧＷは、モビリティ手続き中に変化してもよく、しなくてもよい。複数の実施形態は、この文脈に限定されない。
【００２０】
図５は、複数の無線ネットワークモビリティ手続きのための複数の改良された接続管理技術を実装し得るような装置５００のブロック図を示す。図５に示されるように、装置５００は、複数の要素を備え、これは、プロセッサ回路５０２、メモリユニット５０４、通信コンポーネント５０６及び決定コンポーネント５０８を含む。しかしながら、複数の実施形態は、この図に示される複数の要素のタイプ、数または構成に限定されない。
【００２１】
いくつかの実施形態において、装置５００は、プロセッサ回路５０２を備えてもよい。プロセッサ回路５０２は、複雑命令セットコンピュータ（ＣＩＳＣ）マイクロプロセッサ、縮小命令セットコンピューティング（ＲＩＳＣ）マイクロプロセッサ、超長命令語（ＶＬＩＷ）マイクロプロセッサ、ｘ８６命令セットと互換性があるプロセッサ、複数の命令セットの組み合わせを実装するプロセッサ、デュアルコアプロセッサもしくはデュアルコアモバイルプロセッサのようなマルチコアプロセッサ、または任意の他のマイクロプロセッサもしくは中央処理装置（ＣＰＵ）のような任意のプロセッサまたは論理デバイスを用いて実装されてもよい。プロセッサ回路５０２は、コントローラ、マイクロコントローラ、内蔵プロセッサ、チップマルチプロセッサ（ＣＭＰ）、コプロセッサ、デジタルシグナルプロセッサ（ＤＳＰ）、ネットワークプロセッサ、メディアプロセッサ、入出力（Ｉ／Ｏ）プロセッサ、メディアアクセス制御（ＭＡＣ）プロセッサ、無線ベースバンドプロセッサ、特定用途向け集積回路（ＡＳＩＣ）、フィールドプログラマブルゲートアレイ（ＦＰＧＡ）、プログラマブルロジックデバイス（ＰＬＤ）などのような専用のプロセッサとしてさらに実装されてもよい。一実施形態において、プロセッサ回路５０２は、例えば、カリフォルニア州サンタクララのインテル（登録商標）・コーポレーションによって作成されるプロセッサのような汎用用途向けプロセッサとして実装されてもよい。複数の実施形態は、この文脈に限定されない。
【００２２】
様々な実施形態において、装置５００は、メモリユニット５０４を備えてもよく、または、これと通信可能に結合されるように構成されてもよい。メモリユニット５０４は、揮発性または不揮発性メモリの両方を含む、データの格納が可能な任意の機械可読またはコンピュータ可読媒体を用いて実装されてもよい。例えば、メモリユニット５０４は、リードオンリメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、フラッシュメモリ、強誘電体ポリマーメモリのようなポリマーメモリ、オボニックメモリ、相変化または強誘電メモリ、シリコン酸化膜窒化膜酸化膜シリコン（ＳＯＮＯＳ）メモリ、磁気または光カード、または情報の格納に適した任意の他の種類媒体を含んでもよい。メモリユニット５０４の一部または全ては、プロセッサ回路５０２と同じ集積回路に含まれてもよく、または代替的、メモリユニット５０４の一部または全ては、集積回路または他の媒体、例えば、プロセッサ回路５０２の集積回路の外部にあるハードディスクドライブに配置されてもよいことに留意すべきである。メモリユニット５０４は、図５の装置５００内に含まれるが、いくつかの実施形態において、メモリユニット５０４は、装置５００の外部にあってもよい。複数の実施形態は、この文脈に限定されない。
【００２３】
いくつかの実施形態において、装置５００は、通信コンポーネント５０６を備えてもよい。通信コンポーネント５０６は、ロジック、回路及び／または複数の命令を備えてもよく、これらは、複数のメッセージを１つまたは複数の遠隔装置に送信し、及び／または１つまたは複数の遠隔装置から複数のメッセージを受信するように動作する。様々な実施形態において、通信コンポーネント５０６は、１つまたは複数の有線接続、１つまたは複数の無線接続または両方の組み合わせによって、複数のメッセージを送信及び／または受信するように動作してもよい。いくつかの実施形態において、通信コンポーネント５０６は、このような複数の通信をサポートして、様々な動作を実行するように動作するロジック、回路及び／または複数の命令をさらに備えてもよい。このような複数の動作の複数の例は、送信及び／または受信パラメータ及び／またはタイミング、パケット及び／またはプロトコルデータユニット（ＰＤＵ）の構成及び／または解体、符号化及び／または復号化、エラー検出及び／またはエラー訂正の選択を含んでもよい。複数の実施形態は、これらの例に限定されない。
【００２４】
様々な実施形態において、装置５００及び／またはシステム５４０は、決定コンポーネント５０８を備えてもよい。決定コンポーネント５０８は、装置５００及び／またはシステム５４０によって実行される複数のモビリティ管理動作をサポートして、様々なタイプの決定及び／または決定を実行するように動作してもよい。いくつかの実施形態において、決定コンポーネント５０８は、１つまたは複数の決定及び／または決定を実行するように動作してもよく、これは、装置５００及び／またはシステム５４０がＭＭＥを備える無線ネットワークにおいて、１つまたは複数のＵＥの１つまたは複数の接続の確立、アクティブ化及び／または解放をもたらす。複数の実施形態は、この文脈に限定されない。
【００２５】
図５は、システム５４０のブロック図をさらに示す。システム５４０は、装置５００の前述された複数の要素のいずれを備えてもよい。システム５４０は、無線周波数（ＲＦ）送受信機５４４をさらに備えてもよい。ＲＦ送受信機５４４は、様々な適切な無線通信技術を用いて、複数の信号を送信及び受信可能な１つまたは複数の無線を備えてもよい。このような技術は、１つまたは複数の無線ネットワークにおける通信を含んでもよい。複数の例示的な無線ネットワークは、（これに限定されないが）無線ローカルエリアネットワーク（ＷＬＡＮ）、無線パーソナルエリアネットワーク（ＷＰＡＮ）、無線メトロポリタンエリアネットワーク（ＷＭＡＮ）、セルラネットワーク及び衛星ネットワークを含む。このようなネットワークにおける通信において、ＲＦ送受信機５４４は、１つまたは複数の適用可能な規格の任意のバージョンに従って動作可能である。複数の実施形態は、この文脈に限定されない。
【００２６】
いくつかの実施形態において、システム５４０は、１つまたは複数のＲＦアンテナ５５７を備えてもよい。任意の特定のＲＦアンテナ５５７の複数の例は、限定的ではないが、内部アンテナ、全方向アンテナ、モノポールアンテナ、ダイポールアンテナ、エンドフェッドアンテナ、円偏光アンテナ、マイクロストリップアンテナ、ダイバーシチアンテナ、デュアルアンテナ、トライバンドアンテナ、クワッドバンドアンテナなどを含んでもよい。様々な実施形態において、ＲＦ送受信機５４４は、１つまたは複数のＲＦアンテナ５５７を用いて、複数のメッセージ及び／またはデータを送信及び／または受信するように動作してもよい。複数の実施形態は、この文脈に限定されない。 
【００２７】
様々な実施形態において、装置５００及び／またはシステム５４０は、ＭＭＥを備えてもよい。より詳細には、装置５００及び／またはシステム５４０は、ＵＥ５５０のサービングＭＭＥを、当該ＵＥ５５０のモビリティイベントに応答して実行されたモビリティ手続きの後で、備えてもよい。いくつかの実施形態において、モビリティ手続きは、ＴＡＵ手続きを備えてもよい。様々なこのような実施形態において、装置５００及び／またはシステム５４０は、ＴＡＵ手続き中にＵＥ５５０の古いＭＭＥと通信を行う新たなＭＭＥを備えてもよい。いくつかの他の実施形態において、装置５００及び／またはシステム５４０は、ＴＡＵ手続きの前にＵＥのサービングＭＭＥをさらに備えてもよい。様々な実施形態において、モビリティ手続きは、ハンドオーバ手続きを備えてもよい。いくつかのこのような実施形態において、装置５００及び／またはシステム５４０は、ハンドオーバ手続きのターゲットＭＭＥを備えてもよい。様々な他の実施形態において、ＵＥのサービングＭＭＥは、ハンドオーバ手続き中に変化しなくてもよく、そこで、装置５００及び／またはシステム５４０は、ハンドオーバ手続きの前にＵＥのサービングＭＭＥをさらに備えてもよい。複数の実施形態は、この文脈に限定されない。
【００２８】
いくつかの実施形態において、ＵＥ５５０のモビリティ手続き中に、通信コンポーネント５０６は、モビリティ手続き通知５１０を受信するように動作してもよい。モビリティ手続き通知５１０は、概して、ＵＥ５５０に対するモビリティ手続きが開始されたことを示すメッセージを含んでもよい。様々な実施形態において、モビリティ手続きは、ＴＡＵ手続きを含んでもよく、モビリティ手続き通知５１０は、ＴＡＵ手続きの後でＵＥ５５０のサービングｅＮＢを備えるｅＮＢ５６０から受信されたＴＡＵ要求メッセージを含んでもよい。いくつかの他の実施形態において、モビリティ手続きは、ハンドオーバ手続きを含んでもよく、モビリティ手続き通知５１０は、ハンドオーバ手続きの前にＵＥ５５０のサービングＭＭＥを備えるＭＭＥ５７０から受信された再配置転送要求を備えてもよい。さらに他の実施形態において、モビリティ手続きは、ハンドオーバ手続きを含んでもよく、モビリティ手続き通知５１０は、ハンドオーバ手続きの前にＵＥ５５０のサービングｅＮＢを備えるｅＮＢから受信されたハンドオーバ要求メッセージを含んでもよい。複数の実施形態は、この文脈に限定されない。
【００２９】
様々な実施形態において、モビリティ手続きの前に、ＵＥ５５０は、ＳＩＰＴＯ@ＬＮ  ＰＤＮ接続を確立してもよい。いくつかの実施形態において、決定コンポーネント５０８は、モビリティ手続きの後で、ＵＥ５５０のＳＩＰＴＯ@ＬＮ  ＰＤＮ接続を解放するか否かを決定するように動作してもよい。様々な実施形態において、決定コンポーネント５０８は、ＵＥ５５０のＬＨＮ−ＩＤ５１２に基づいて、ＵＥ５５０のＳＩＰＴＯ@ＬＮ  ＰＤＮ接続を解放するか否かを決定するように動作してもよい。いくつかの実施形態において、決定コンポーネント５０８は、モビリティ手続きがＵＥ５５０のＬＨＮを変化させるというＬＨＮ−ＩＤ５１２に基づく決定に応答して、ＳＩＰＴＯ@ＬＮ  ＰＤＮ接続の解放を決定するように動作してもよい。様々な実施形態において、決定コンポーネント５０８は、モビリティ手続きがＵＥ５５０のＬＨＮを変化させないというＬＨＮ−ＩＤ５１２に基づく決定に応答して、ＳＩＰＴＯ@ＬＮ  ＰＤＮ接続を解放しないことを決定するように動作してもよい。
【００３０】
いくつかの実施形態において、通信コンポーネント５０６は、ＬＨＮ−ＩＤ５１２を含むモビリティ手続き制御メッセージ５１４を受信するように動作してもよい。様々な実施形態において、モビリティ手続き制御メッセージ５１４は、モビリティ手続き通知５１０と同じメッセージを含んでもよい。例えば、いくつかの実施形態において、モビリティ手続きは、ハンドオーバ手続きを含んでもよく、モビリティ手続き通知５１０は、ＬＨＮ−ＩＤ５１２を含む優先再配置要求メッセージを含んでもよい。様々な他の実施形態において、モビリティ手続き制御メッセージ５１４は、モビリティ手続き通知５１０と異なるメッセージを含んでもよい。例えば、いくつかの実施形態において、モビリティ手続きは、ＴＡＵ手続きを含んでもよく、モビリティ手続き通知５１０は、ＴＡＵ要求メッセージを備えてもよく、モビリティ手続き制御メッセージ５１４は、ＬＨＮ−ＩＤ５１２を含むコンテキスト応答メッセージを含んでもよい。さらに他の実施形態において、通信コンポーネント５０６は、ＬＨＮ−ＩＤ５１２を含むモビリティ手続き制御メッセージ５１４を受信するように動作しなくてもよい。例えば、様々な実施形態において、装置５００及び／またはシステム５４０は、モビリティ手続きの後のみならずモビリティ手続きの前に、ＵＥ５５０のサービングＭＭＥを備えてもよく、決定コンポーネント５０８は、メモリユニット５０４のストレージからＬＨＮ−ＩＤ５１２を取得するように動作してもよい。図５の例は、ＬＨＮ−ＩＤ５１２を含むモビリティ手続き制御メッセージ５１４を示し、モビリティ手続き通知５１０とは異なるものとしてモビリティ手続き制御メッセージ５１４を示すが、複数の実施形態は、この例に限定されないことを理解すべきである。
【００３１】
いくつかの実施形態において、ＵＥ５５０のＳＩＰＴＯ@ＬＮ  ＰＤＮ接続が解放されるべきという決定に応答して、決定コンポーネント５０８は、当該ＳＩＰＴＯ@ＬＮ  ＰＤＮ接続を解放するための処理を選択するように動作してもよい。様々な実施形態において、決定コンポーネント５０８は、ＳＩＰＴＯ@ＬＮ  ＰＤＮ接続がＵＥ５５０に対してＰＤＮ接続のみを含むか否かの決定に基づいて、ＳＩＰＴＯ@ＬＮ  ＰＤＮ接続を解放するための処理を選択するように動作してもよい。いくつかの実施形態において、ＳＩＰＴＯ@ＬＮ  ＰＤＮ接続はＵＥ５５０に対して唯一のＰＤＮ接続を備えるという決定に応答して、決定コンポーネント５０８は、ＳＩＰＴＯ@ＬＮ  ＰＤＮ接続を解放するために、ＭＭＥ開始デタッチ処理を選択するように動作してもよい。様々な実施形態において、ＳＩＰＴＯ@ＬＮ  ＰＤＮ接続は、ＵＥ５５０に対して唯一のＰＤＮ接続を含むのではないという決定に応答して、決定コンポーネント５０８は、ＳＩＰＴＯ@ＬＮ  ＰＤＮ接続を解放するために、ＭＭＥ要求によるＰＤＮ切断処理を選択するように動作してもよい。複数の実施形態は、この文脈に限定されない。
【００３２】
いくつかの実施形態において、モビリティ手続きの後で、通信コンポーネント５０６は、選択された処理に従ってＳＩＰＴＯ@ＬＮ  ＰＤＮ接続の解放を開始するために、接続解放開始メッセージ５１６を送信するように動作してもよい。様々な実施形態において、選択された処理は、ＭＭＥ開始デタッチ処理を備えてもよく、接続解放開始メッセージ５１６は、デタッチ要求メッセージを含んでもよい。いくつかの他の実施形態において、選択された処理は、ＭＭＥ要求によるＰＤＮ切断処理を備えてもよく、接続解放開始メッセージ５１６は、セッション削除要求メッセージを含んでもよい。様々な実施形態において、接続解放開始メッセージ５１６は、ＭＭＥ要求によるＰＤＮ切断処理が再アクティブ化の要求を原因により開始されるべきことを示してもよい。複数の実施形態は、この文脈に限定されない。
【００３３】
複数の上述された実施形態の複数の動作は、以下の複数の図及び添付の複数の例を参照して、さらに説明され得る。複数の図のいくつかは、ロジックフローを含んでもよい。本明細書に提示されるこのような複数の図は、特定のロジックフローを含み得るが、ロジックフローは、本明細書で説明される一般的機能が実装可能な態様の例を単に提供するものであることが理解されよう。さらに、所与のロジックフローは、他に示されない限り、必ずしも提示された順序で実行されなければならないものではない。さらに、所与のロジックフローは、ハードウェア要素、プロセッサによって実行されるソフトウェア要素またはそれらの任意の組み合わせによって実装されてもよい。複数の実施形態は、この文脈に限定されない。
【００３４】
図６は、ロジックフロー６００の一実施形態を示し、これは、図５の装置５００及び／またはシステム５４０によって実行可能な複数の動作のような、本明細書で説明される１つまたは複数の実施形態によって実行される複数の動作を代表し得る。より詳細には、ロジックフロー６００は、装置５００及び／またはシステム５４０がＵＥに対するモビリティ手続きの後で当該ＵＥのサービングＭＭＥを備える、いくつかの実施形態を代表し得る。ロジックフロー６００に示されるように、ＵＥに対するモビリティ手続きの通知は、６０２において受信される。例えば、図５の通信コンポーネント５０６は、ＵＥ５５０に対するモビリティ手続きの開始を示すモビリティ手続き通知５１０を受信するように動作してもよい。６０４において、ＵＥのＳＩＰＴＯ@ＬＮ  ＰＤＮ接続を解放するか否かが決定されてもよい。例えば、図５の決定コンポーネント５０８は、ＵＥ５５０のＳＩＰＴＯ@ＬＮ  ＰＤＮ接続を解放するか否かを決定するように動作してもよい。６０４において、ＳＩＰＴＯ@ＬＮ  ＰＤＮ接続が解放されないことが決定された場合、ロジックフローは、終了してもよい。６０４において、ＳＩＰＴＯ@ＬＮ  ＰＤＮ接続が解放されることが決定された場合、フローは、６０６に移ってもよい。
【００３５】
６０６において、処理は、ＳＩＰＴＯ@ＬＮ  ＰＤＮ接続を解放するために選択されてもよい。例えば、図５の決定コンポーネント５０８は、ＳＩＰＴＯ@ＬＮ  ＰＤＮ接続がＵＥ５５０の唯一のＰＤＮ接続であるか否かに基づいて、ＵＥ５５０のＳＩＰＴＯ@ＬＮ  ＰＤＮ接続を解放するための処理を選択するように動作してもよい。６０８において、モビリティ手続きの後、ＳＩＰＴＯ@ＬＮ  ＰＤＮ接続を解放するために選択された処理は、開始されてもよい。例えば、図５のＵＥ５５０に対するモビリティ手続きの後で、通信コンポーネント５０６は、ＵＥ５５０のＳＩＰＴＯ@ＬＮ  ＰＤＮ接続を解放するために選択された処理を開始するべく、接続解放開始メッセージ５１６を送信するように動作してもよい。複数の実施形態は、これらの例に限定されない。
【００３６】
図７は、ロジックフロー７００の一実施形態を示し、これは、図５の装置５００及び／またはシステム５４０によって実行可能な複数の動作のような、本明細書で説明される１つまたは複数の実施形態によって実行される複数の動作を代表し得る。より詳細には、ロジックフロー７００は、装置５００及び／またはシステム５４０がＵＥに対するＴＡＵ手続きにおいて当該ＵＥの新たなＭＭＥを備える様々な実施形態を代表し得る。ロジックフロー７００に示されるように、ＵＥに対するＴＡＵ手続きの開始を示すＴＡＵ要求メッセージは、７０２において受信されてもよい。例えば、図５の通信コンポーネント５０６は、ＵＥ５５０に対するＴＡＵ手続きの開始を示すＴＡＵ要求メッセージを備えるモビリティ手続き通知５１０を受信するように動作してもよい。７０４において、ＵＥのＬＨＮ−ＩＤを含むコンテキスト応答メッセージが受信されてもよい。例えば、図５の通信コンポーネント５０６は、コンテキスト応答メッセージを備え、ＵＥ５５０のＬＨＮ−ＩＤを含むモビリティ手続き制御メッセージ５１４を受信するように動作してもよい。７０６において、ＴＡＵ手続きに従って、ＵＥのＬＨＮが変化するか否かが決定されてもよい。例えば、図５の決定コンポーネント５０８は、ＬＨＮ−ＩＤ５１２に基づいて、ＵＥ５５０のＬＨＮがＵＥ５５０に対するＴＡＵ手続きに従って変化するか否かを、決定するように動作してもよい。７０６において、ＵＥのＬＨＮがＴＡＵ手続きに従って変化しないと決定された場合、ロジックフローは、終了してもよい。７０６において、ＵＥのＬＨＮがＴＡＵ手続きに従って変化すると決定された場合、フローは７０８に移ってもよい。
【００３７】
７０８において、ＵＥのＳＩＰＴＯ@ＬＮ  ＰＤＮ接続がＵＥの唯一のＰＤＮ接続を含むか否かが決定されてもよい。例えば、図５の決定コンポーネント５０８は、ＵＥ５５０のＳＩＰＴＯ@ＬＮ  ＰＤＮ接続が、ＵＥ５５０の唯一のＰＤＮ接続を含むか否かを決定するように動作してもよい。７０８において、ＳＩＰＴＯ@ＬＮ  ＰＤＮ接続がＵＥの唯一のＰＤＮ接続を含まないと決定された場合、フローは、７１０に移ってもよい。７１０において、ＵＥに対するＴＡＵ手続きの後で、ＭＭＥ要求ＰＤＮ切断手続きは、ＵＥのＳＩＰＴＯ@ＬＮ  ＰＤＮ接続を解放するために開始されてもよい。例えば、図５のＵＥ５５０に対するＴＡＵ手続きの後で、通信コンポーネント５０６は、ＵＥ５５０のＳＩＰＴＯ@ＬＮ  ＰＤＮ接続を解放するために、削除セッション要求メッセージを備える接続解放開始メッセージ５１６を送信することによって、ＭＭＥ要求ＰＤＮ切断手続きを開始するように動作してもよい。７０８において、ＳＩＰＴＯ@ＬＮ  ＰＤＮ接続が、ＵＥの唯一のＰＤＮ接続を含むと決定された場合、フローは、７１２に移ってもよい。７１２において、ＵＥに対するＴＡＵ手続きの後で、ＭＭＥ開始デタッチ手続きは、ＵＥのＳＩＰＴＯ@ＬＮ  ＰＤＮ接続を解放するために開始されてもよい。例えば、図５のＵＥ５５０に対するＴＡＵ手続きの後で、通信コンポーネント５０６は、ＵＥ５５０のＳＩＰＴＯ@ＬＮ  ＰＤＮ接続を解放するために、デタッチ要求メッセージを備える接続解放開始メッセージ５１６を送信することによって、ＭＭＥ開始デタッチ手続きを開始するように動作してもよい。複数の実施形態は、これらの例に限定されない。
【００３８】
図８は、ロジックフロー８００の一実施形態を示し、これは、図５の装置５００及び／またはシステム５４０によって実行可能な複数の動作のような、本明細書で説明される１つまたは複数の実施形態によって実行される複数の動作を代表し得る。より詳細には、ロジックフロー８００は、装置５００及び／またはシステム５４０がＵＥに対するハンドオーバ手続きのターゲットＭＭＥを備えるいくつかの実施形態を代表し得る。ロジックフロー８００に示されるように、ＵＥに対するハンドオーバ手続きの開始を示し、ＵＥのＬＨＮ−ＩＤを備える優先再配置要求メッセージは、８０２において受信されてもよい。例えば、図５の通信コンポーネント５０６は、ＵＥ５５０のＬＨＮ−ＩＤ５１２を含み、ＵＥ５５０のハンドオーバ手続きの開始を示す優先再配置要求メッセージを備えるモビリティ手続き通知５１０を受信するように動作してもよい。８０４において、ＵＥのＬＨＮがハンドオーバ手続きに従って変化するか否かが決定されてもよい。例えば、図５の決定コンポーネント５０８は、ＬＨＮ−ＩＤ５１２に基づいて、ＵＥ５５０のＬＨＮがＵＥ５５０に対するハンドオーバ手続きに従って変化するか否かを、決定するように動作してもよい。８０４において、ＵＥのＬＨＮがハンドオーバ手続きに従って変化しないと決定された場合には、ロジックフローは、終了してもよい。８０４において、ＵＥのＬＨＮが、ハンドオーバ手続きに従って変化すると決定された場合には、フローは、８０６に移ってもよい。
【００３９】
８０６において、ＵＥのＳＩＰＴＯ@ＬＮ  ＰＤＮ接続がＵＥの唯一のＰＤＮ接続を含むか否かが決定されてもよい。例えば、図５の決定コンポーネント５０８は、ＵＥ５５０のＳＩＰＴＯ@ＬＮ  ＰＤＮ接続が、ＵＥ５５０の唯一のＰＤＮ接続を含むか否かを決定するように動作してもよい。８０６において、ＳＩＰＴＯ@ＬＮ  ＰＤＮ接続がＵＥの唯一のＰＤＮ接続を含まないと決定された場合、フローは、８０８に移ってもよい。８０８において、ＵＥに対するハンドオーバ手続きの後で、ＭＭＥ要求ＰＤＮ切断手続きは、ＵＥのＳＩＰＴＯ@ＬＮ  ＰＤＮ接続を解放するために開始されてもよい。例えば、図５のＵＥ５５０に対するハンドオーバ手続きの後で、通信コンポーネント５０６は、ＵＥ５５０のＳＩＰＴＯ@ＬＮ  ＰＤＮ接続を解放するために、削除セッション要求メッセージを備える接続解放開始メッセージ５１６を送信することによって、ＭＭＥ要求ＰＤＮ切断手続きを開始するように動作してもよい。８０６において、ＳＩＰＴＯ@ＬＮ  ＰＤＮ接続が、ＵＥの唯一のＰＤＮ接続を含むと決定された場合、フローは、８１０に移ってもよい。８１０において、ＵＥに対するハンドオーバ手続きの後で、ＭＭＥ開始デタッチ手続きは、ＵＥのＳＩＰＴＯ@ＬＮ  ＰＤＮ接続を解放するために、開始されてもよい。例えば、図５のＵＥ５５０に対するハンドオーバ手続きの後で、通信コンポーネント５０６は、ＵＥ５５０のＳＩＰＴＯ@ＬＮ  ＰＤＮ接続を解放するために、デタッチ要求メッセージを備える接続解放開始メッセージ５１６を送信することによって、ＭＭＥ開始デタッチ手続きを開始するように動作してもよい。複数の実施形態は、これらの例に限定されない。
【００４０】
図９は、記憶媒体９００の実施形態を示す。記憶媒体９００は、光、磁気または半導体記憶媒体のような、任意の非一時的コンピュータ可読記憶媒体または機械可読記憶媒体を備えてもよい。様々な実施形態において、記憶媒体９００は、工業製品を備えてもよい。いくつかの実施形態において、記憶媒体９００は、図６のロジックフロー６００、図７のロジックフロー７００及び図８のロジックフロー８００のうち１つまたは複数を実装するための複数のコンピュータ実行可能命令のような、複数のコンピュータ実行可能命令を格納してもよい。コンピュータ可読記憶媒体または機械可読記憶媒体の複数の例は、電子データを格納可能な任意の有形の媒体を含んでもよく、これは、揮発性メモリまたは不揮発性メモリ、取り外し可能または不可能メモリ、消去可能または消去不可能メモリ、書き込み可能または再書き込み可能メモリなどを含む。コンピュータ実行可能命令の複数の例は、ソースコード、コンパイラ型コード、インタープリタ型コード、実行可能コード、スタティックコード、ダイナミックコード、オブジェクト指向コード、ビジュアルコード等のような、任意の適切な種類のコードを含んでもよい。複数の実施形態は、この文脈に限定されない。
【００４１】
図１０は、図５の装置５００及び／またはシステム５４０、図６のロジックフロー６００、図７のロジックフロー７００、図８のロジックフロー８００及び／または図９の記憶媒体９００のうち１つまたは複数を実装可能な通信デバイス１０００の実施形態を示す。様々な実施形態において、デバイス１０００は、論理回路１０２８を備えてもよい。論理回路１０２８は、複数の物理的回路を含むことにより、例えば、図５の装置５００及び／またはシステム５４０、図６のロジックフロー６００、図７のロジックフロー７００及び図８のロジックフロー８００のうち１つまたは複数について説明された複数の動作を実行してもよい。図１０に示されるように、デバイス１０００は、無線インタフェース１０１０、ベースバンド回路１０２０及びコンピューティングプラットホーム１０３０を含んでもよいが、実施形態は、この構成に限定されない。
【００４２】
デバイス１０００は、図５の装置５００及び／またはシステム５４０、図６のロジックフロー６００、図７のロジックフロー７００、図８のロジックフロー８００、図９の記憶媒体９００、及び単一のデバイス内に全体があるような単一のコンピューティングエンティティの論理回路１０２８のうち１つまたは複数の構造及び／または動作のいくつかのまたは全てを実装してもよい。代替的に、デバイス１０００は、図５の装置５００及び／またはシステム５４０、図６のロジックフロー６００、図７のロジックフロー７００、図８のロジックフロー８００、図９の記憶媒体９００及び論理回路１０２８のうち１つまたは複数の構造及び／または動作の一部を、クライアントサーバアーキテクチャ、３階層アーキテクチャ、Ｎ階層アーキテクチャ、密結合またはクラスタアーキテクチャ、ピアツーピアアーキテクチャ、マスタースレーブアーキテクチャ、共有データベースアーキテクチャ及び他の複数のタイプの分散システムのような分散システムアーキテクチャを用いて、複数のコンピューティングエンティティに分散させてもよい。複数の実施形態は、この文脈に限定されない。
【００４３】
一実施形態において、無線インタフェース１０１０は、複数のシングルキャリアまたはマルチキャリア変調信号（例えば、相補コードキーイング（ＣＣＫ）及び／または直交周波数分割多重方式（ＯＦＤＭ）記号を含む）の送信及び／または受信に適応されるコンポーネントまたは複数のコンポーネントの組み合わせを含んでもよいが、実施形態は、あらゆる具体的な無線のインタフェースまたは変調スキームに限定されない。無線インタフェース１０１０は、例えば、受信機１０１２、周波数合成機１０１４及び／または送信機１０１６を含んでもよい。無線インタフェース１０１０は、複数のバイアス制御、水晶発振器及び／または１つまたは複数のアンテナ１０１８−ｆを含んでもよい。他の実施形態において、無線インタフェース１０１０は、複数の外部電圧制御発振器（ＶＣＯ）、複数の面音波フィルタ、複数の中間周波数（ＩＦ）フィルタ及び／または複数のＲＦフィルタを、所望により用いてもよい。様々なＲＦインタフェース設計が適用可能であるため、それらの広範な説明は省略される。
【００４４】
ベースバンド回路１０２０は、受信及び／または送信信号を処理する無線インタフェース１０１０と通信を行ってもよく、例えば、受信された複数の信号をダウンコンバートするアナログデジタルコンバータ１０２２、複数の信号を送信のためにアップコンバートするデジタルアナログコンバータ１０２４を含んでもよい。さらに、ベースバンド回路１０２０は、個別の受信／送信信号をＰＨＹリンク層処理のためのベースバンドまたは物理層（ＰＨＹ）処理回路１０２６を含んでもよい。ベースバンド回路１０２０は、例えば、ＭＡＣ／データリンク層処理のためのメディアアクセス制御（ＭＡＣ）処理回路１０２７を含んでもよい。ベースバンド回路１０２０は、例えば１つまたは複数のインタフェース１０３４を介してＭＡＣ処理回路１０２７及び／またはコンピューティングプラットホーム１０３０と通信を行うためのメモリコントローラ１０３２を含んでもよい。
【００４５】
いくつかの実施形態において、ＰＨＹ処理回路１０２６は、フレーム構成及び／または検出モジュールを、バッファメモリのような追加の回路との組み合わせで含むことにより、複数の通信フレームを構築及び／または解体してもよい。代替的にまたはさらに、ＭＡＣ処理回路１０２７は、これらの機能の処理を確実に共有してもよく、または、これらの処理をＰＨＹ処理回路１０２６と別個に実行してもよい。いくつかの実施形態において、ＭＡＣ及びＰＨＹ処理は、単一の回路に統合されてもよい。
【００４６】
コンピューティングプラットホーム１０３０は、デバイス１０００にコンピューティング機能を付与してもよい。図示されたように、コンピューティングプラットホーム１０３０は、処理コンポーネント１０４０を含んでもよい。ベースバンド回路１０２０に加えてまたは代替的に、デバイス１０００は、図５の装置５００及び／またはシステム５４０、図６のロジックフロー６００、図７のロジックフロー７００、図８のロジックフロー８００、図９の記憶媒体９００及び論理回路１０２８のうち１つまたは複数に対して、処理コンポーネント１０４０を用いて複数の処理動作またはロジックを実行してもよい。処理コンポーネント１０４０（及び／またはＰＨＹ１０２６及び／またはＭＡＣ１０２７）は、様々なハードウェア要素、ソフトウェア要素または両方の組み合わせを備えてもよい。複数のハードウェア要素の複数の例は、デバイス、論理デバイス、コンポーネント、プロセッサ、マイクロプロセッサ、回路、プロセッサ回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、メモリユニット、ロジックゲート、レジスタ、半導体デバイス、チップ、マイクロチップ、チップセットなどを含んでもよい。複数のソフトウェア要素の複数の例は、ソフトウェアコンポーネント、プログラム、アプリケーション、コンピュータプログラム、アプリケーションプログラム、システムプログラム、ソフトウェア開発プログラム、マシンプログラム、オペレーティングシステムソフトウェア、ミドルウェア、ファームウェア、ソフトウェアモジュール、ルーチン、サブルーチン、機能、方法、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、記号またはそれらの任意の組み合わせを含んでもよい。実施形態が複数のハードウェア要素及び／または複数のソフトウェア要素を用いて実装されるか否かの決定は、望ましい演算速度、パワーレベル、耐熱性、処理サイクル量、入力データレート、出力データレート、メモリリソース、データバススピード及び他の設計または性能の制約のような任意の数の要因に従って、所与の実装に望ましいように、異なってもよい。
【００４７】
コンピューティングプラットホーム１０３０は、複数の他のプラットフォームコンポーネント１０５０をさらに含んでもよい。複数の他のプラットフォームコンポーネント１０５０は、１つまたは複数のプロセッサ、マルチコアプロセッサ、コプロセッサ、メモリユニット、チップセット、コントローラ、周辺機器、インタフェース、発振器、タイミングデバイス、ビデオカード、オーディオカード、マルチメディア入出力（Ｉ／Ｏ）コンポーネント（例えば、デジタルディスプレイ）、電源などのような複数の一般的なコンピューティング要素を含む。複数のメモリユニットの複数の例は、限定的ではないが、様々なタイプのコンピュータ可読及び機械可読記憶媒体を、リードオンリメモリ（ＲＯＭ）、ランダムアクセスメモリ（ＲＡＭ）、ダイナミックＲＡＭ（ＤＲＡＭ）、ダブルデータレートＤＲＡＭ（ＤＤＲＡＭ）、シンクロナスＤＲＡＭ（ＳＤＲＡＭ）、スタティックＲＡＭ（ＳＲＡＭ）、プログラマブルＲＯＭ（ＰＲＯＭ）、消去可能プログラム可能ＲＯＭ（ＥＰＲＯＭ）、電気的消去可能プログラム可能ＲＯＭ（ＥＥＰＲＯＭ）、フラッシュメモリ、強誘電体ポリマーメモリのようなポリマーメモリ、オボニックメモリ、相変化または強誘電メモリ、シリコン酸化膜窒化膜酸化膜シリコン（ＳＯＮＯＳ）メモリ、磁気または光カード、Ｒｅｄｕｎｄａｎｔ  Ａｒｒａｙ  ｏｆ  Ｉｎｄｅｐｅｎｄｅｎｔ  Ｄｉｓｋｓ（ＲＡＩＤ）ドライブのようなデバイスアレイ、ソリッドステートメモリデバイス（例えば、ＵＳＢメモリ）、ソリッドステートドライブ（ＳＳＤ）及び情報の格納に適した任意の他の種類の記憶媒体のような１つまたは複数の高速メモリユニットの形で含んでもよい。
【００４８】
デバイス１０００は、例えば、ウルトラモバイルデバイス、モバイルデバイス、固定式デバイス、マシンツーマシン（Ｍ２Ｍ）デバイス、パーソナルデジタルアシスタント（ＰＤＡ）、モバイルコンピューティングデバイス、スマートフォン、電話、デジタル電話、携帯電話、ユーザ端末、ｅＢｏｏｋリーダ、ハンドセット、単方向ページャ、双方向ページャ、メッセージングデバイス、コンピュータ、パーソナルコンピュータ（ＰＣ）、デスクトップコンピュータ、ラップトップコンピュータ、ノートブックコンピュータ、ネットブックコンピュータ、ハンドヘルドコンピュータ、タブレットコンピュータ、サーバ、サーバアレイもしくはサーバファーム、ウェブサーバ、ネットワークサーバ、インターネットサーバ、ワークステーション、ミニコンピュータ、メインフレームコンピュータ、スーパーコンピュータ、ネットワークアプライアンス、ウェブアプライアンス、分散型コンピューティングシステム、マルチプロセッサシステム、プロセッサベースシステム、家電、プログラマブル家電、ゲームデバイス、ディスプレイ、テレビ、デジタルテレビ、セットトップボックス、無線アクセスポイント、基地局、ノードＢ、加入者ステーション、モバイル加入者センタ、無線ネットワークコントローラ、ルータ、ハブ、ゲートウェイ、ブリッジ、スイッチ、マシンまたはそれらの組み合わせであってもよい。従って、本明細書で説明されるデバイス１０００の複数の機能及び／または具体的な複数の構成は、デバイス１０００の様々な実施形態において、適宜望ましいように、含まれてもよく、省略されてもよい。
【００４９】
デバイス１０００の複数の実施形態は、複数の単入力単出力（ＳＩＳＯ）アーキテクチャを用いて実装されてもよい。しかしながら、複数の特定の実装は、ビーム形成もしくは空間分割多重アクセス（ＳＤＭＡ）用の複数の適応的アンテナ技術を用いた、及び／または複数のＭＩＭＯ通信技術を用いた、送信及び／または受信用の複数のアンテナ（例えば、アンテナ１０１８−ｆ）を含んでもよい。
【００５０】
デバイス１０００の複数のコンポーネント及び複数の機能は、ディスクリート回路、特定用途向け集積回路（ＡＳＩＣ）、ロジックゲート及び／またはシングルチップアーキテクチャの任意の組み合わせを用いて実装されてもよい。さらに、デバイス１０００の複数の機能は、マイクロコントローラ、プログラマブルロジックアレイ及び／またはマイクロプロセッサまたは上述されたものの任意の組み合わせを、適宜適切に用いて実装されてもよい。ハードウェア、ファームウェア及び／またはソフトウェア要素は、本明細書において、集合的にまたは個別に、「ロジック」または「回路」と称されてもよいことに留意される。
【００５１】
図１０のブロック図に示される例示的なデバイス１０００は、多くの適用可能な実装の１つの機能的な説明例を表し得ることが理解されるべきである。従って、添付の複数の図に示される複数のブロック機能を分割、省略または含むことは、複数のハードウェアコンポーネント、複数の回路、ソフトウェア及び／またはこれらの機能を実装する複数の要素が複数の実施形態において必ず分割、省略または含まれることを示唆するものではない。
【００５２】
図１１は、ブロードバンド無線アクセスシステム１１００の実施形態を示す。図１１に示されるように、ブロードバンド無線アクセスシステム１１００は、インターネット１１１０型ネットワーク等を備えるインターネットプロトコル（ＩＰ）型ネットワークであってもよく、これは、インターネット１１１０へのモバイル無線アクセス及び／または固定無線アクセスをサポート可能である。１つまたは複数の実施形態において、ブロードバンド無線アクセスシステム１１００は、３ＧＰＰ  ＬＴＥ仕様書及び／またはＩＥＥＥ８０２．１６規格のうち１つまたは複数に準拠するシステムのような、任意のタイプの直交周波数分割多重アクセス（ＯＦＤＭＡ）ベースの無線ネットワークを備えてもよく、特許請求の範囲に記載された主題の範囲は、これらの点において限定されない。
【００５３】
例示的なブロードバンド無線アクセスシステム１１００において、無線アクセスネットワーク（ＲＡＮ）１１１２及び１１１８は、進化型ノードＢ（ｅＮＢ）１１１４及び１１２０にそれぞれ結合可能であることにより、１つまたは複数の固定式デバイス１１１６とインターネット１１１０との間の、及び／または１つまたは複数のモバイルデバイス１１２２とインターネット１１１０との間の無線通信を提供する。固定式デバイス１１１６及びモバイルデバイス１１２２の一例は、図１０のデバイス１０００であり、これは、デバイス１０００の静止バージョンを備える固定式デバイス１１１６と、デバイス１０００のモバイルバージョンを備えるモバイルデバイス１１２２とを有する。ＲＡＮ１１１２および１１１８は、ブロードバンド無線アクセスシステム１１００上における１つまたは複数の物理的エンティティに対して複数のネットワーク機能のマッピングを定義可能な複数の特性を実装してもよい。ｅＮＢ１１１４および１１２０は、無線機器を備えることにより、デバイス１０００を参照して説明されたもののような固定式デバイス１１１６及び／またはモバイルデバイス１１２２とのＲＦ通信を提供してもよく、例えば、３ＧＰＰ  ＬＴＥ仕様書またはＩＥＥＥ８０２．１６規格に準拠するＰＨＹ及びＭＡＣ層機器を備えてもよい。ｅＮＢ１１１４および１１２０は、ＩＰバックプレーンをさらに備えることにより、それぞれＲＡＮ１１１２および１１１８を介して、インターネット１１１０と結合してもよいが、特許請求の範囲に記載された主題の範囲は、これらの点において限定されない。
【００５４】
ブロードバンド無線アクセスシステム１１００は、ビジテッドコアネットワーク（ＣＮ）１１２４及び／またはホームＣＮ１１２６をさらに備えてもよく、これらのそれぞれは、限定されないが、プロキシ及び／またはリレータイプの機能、例えば、認証、許可及び課金（ＡＡＡ）機能、ダイナミックホストコンフィギュレーションプロトコル（ＤＨＣＰ）機能またはドメインネームサービス制御等、公衆交換電話ネットワーク（ＰＳＴＮ）ゲートウェイもしくはボイスオーバーインターネットプロトコル（ＶｏＩＰ）ゲートウェイのようなドメインゲートウェイ、及び／またはインターネットプロトコル（ＩＰ）タイプのサーバ機能等を含む、１つまたは複数のネットワーク機能を提供可能であってもよい。しかしながら、これらは、ビジテッドＣＮ１１２４及び／またはホームＣＮ１１２６によって提供可能な複数の機能のタイプの単なる例であり、特許請求の範囲に記載された主題の範囲は、これらの点において限定されない。ビジテッドＣＮ１１２４は、ビジテッドＣＮ１１２４が固定式デバイス１１１６またはモバイルデバイス１１２２の通常のサービスプロバイダの一部ではない場合、例えば、固定式デバイス１１１６またはモバイルデバイス１１２２がその個別のホームＣＮ１１２６から離れてローミングしている場合、または、ブロードバンド無線アクセスシステム１１００が固定式デバイス１１１６またはモバイルデバイス１１２２の通常のサービスプロバイダの一部であるが、ブロードバンド無線アクセスシステム１１００が、固定式デバイス１１１６またはモバイルデバイス１１２２のメインまたはホーム位置ではない他の位置または状態にある場合には、ビジテッドＣＮと称されてもよい。複数の実施形態は、この文脈に限定されない。
【００５５】
固定式デバイス１１１６は、ｅＮＢ１１１４および１１２０の１つまたは両方の範囲内のいずれかの位置、例えば自宅または会社の中またはその近くに配置されることにより、それぞれｅＮＢ１１１４ならびに１１２０及びＲＡＮ１１１２および１１１８と、ホームＣＮ１１２６とを介して、自宅または会社の顧客にインターネット１１１０へのブロードバンドアクセスを提供してもよい。固定式デバイス１１１６は、概して、静止位置に配置されるが、これは、必要とされる場合には、異なる位置に移動可能であることに留意すべきである。モバイルデバイス１１２２は、例えば、ｅＮＢ１１１４および１１２０の１つまたは両方の範囲内にモバイルデバイス１１２２がある場合に、１つまたは複数の位置で利用可能である。１つまたは複数の実施形態に従って、動作サポートシステム（ＯＳＳ）１１２８は、ブロードバンド無線アクセスシステム１１００の一部であることにより、ブロードバンド無線アクセスシステム１１００に複数の管理機能を提供し、ブロードバンド無線アクセスシステム１１００の複数の機能的エンティティ間に複数のインタフェースを提供してもよい。図１１のブロードバンド無線アクセスシステム１１００は、ブロードバンド無線アクセスシステム１１００の特定の数のコンポーネントを示す無線ネットワークの単なる１つのタイプであり、特許請求の範囲に記載された主題の範囲は、これらの点において限定されない。
【００５６】
様々な実施形態は、複数のハードウェア要素、複数のソフトウェア要素または両方の組み合わせを用いて実装されてもよい。複数のハードウェア要素の複数の例は、プロセッサ、マイクロプロセッサ、回路、回路素子（例えば、トランジスタ、抵抗器、キャパシタ、インダクタなど）、集積回路、特定用途向け集積回路（ＡＳＩＣ）、プログラマブルロジックデバイス（ＰＬＤ）、デジタルシグナルプロセッサ（ＤＳＰ）、フィールドプログラマブルゲートアレイ（ＦＰＧＡ）、ロジックゲート、レジスタ、半導体デバイス、チップ、マイクロチップ、チップセットなどを含んでもよい。ソフトウェアの複数の例は、ソフトウェアコンポーネント、プログラム、アプリケーション、コンピュータプログラム、アプリケーションプログラム、システムプログラム、マシンプログラム、オペレーティングシステムソフトウェア、ミドルウェア、ファームウェア、ソフトウェアモジュール、ルーチン、サブルーチン、機能、方法、プロシージャ、ソフトウェアインタフェース、アプリケーションプログラムインタフェース（ＡＰＩ）、命令セット、コンピューティングコード、コンピュータコード、コードセグメント、コンピュータコードセグメント、ワード、値、記号またはそれらの任意の組み合わせを含んでもよい。実施形態が複数のハードウェア要素及び／または複数のソフトウェア要素を用いて実装されているか否かの決定は、望ましい演算速度、パワーレベル、耐熱性、処理サイクル量、入力データレート、出力データレート、メモリリソース、データバススピード及び他の設計または性能の制約のような任意の数の要因に従って異なってもよい。
【００５７】
少なくとも１つの実施形態の１つまたは複数の態様は、プロセッサ内の様々なロジックを表す機械可読メディアに格納された代表的な複数の命令によって実行されてもよく、これらは、機械によって読み出された場合に、機械にロジックを組み立てさせることにより、本明細書で説明される複数の技術を実行する。「ＩＰコア」として知られるこのような複数の表現は、有形の機械可読媒体に格納され、実際にロジックまたはプロセッサを作成する製造機械に搭載する様々な顧客または製造施設に供給されてもよい。いくつかの実施形態は、例えば、命令または命令セットを格納可能な機械可読媒体または物品を用いて実装されてもよく、命令または命令セットは、機械によって実行された場合に、複数の実施形態に従って、機械に方法及び／または複数の動作を実行させてもよい。このような機械は、例えば、任意の適切な処理プラットフォーム、コンピューティングプラットホーム、コンピューティングデバイス、処理デバイス、コンピューティングシステム、処理システム、コンピュータ、プロセッサ等を含んでもよく、ハードウェア及び／またはソフトウェアの任意の適切な組み合わせを用いて実装されてもよい。機械可読媒体または物品は、例えば、任意の適切な種類のメモリユニット、メモリデバイス、メモリ物品、メモリ媒体、ストレージデバイス、ストレージ物品、記憶媒体及び／またはストレージユニット、例えば、メモリ、取り外し可能または不可能媒体、消去可能または消去不可能媒体、書き込み可能または再書き込み可能媒体、デジタルもしくはアナログ媒体、ハードディスク、フロッピ（登録商標）ディスク、コンパクトディスクリードオンリメモリ（ＣＤ−ＲＯＭ）、コンパクトディスクレコーダブル（ＣＤ−Ｒ）、コンパクトディスクリライタブル（ＣＤ−ＲＷ）、光ディスク、磁気媒体、磁気光媒体、リムーバブルメモリカードまたはディスク、様々なタイプのデジタル汎用ディスク（ＤＶＤ）、テープ、カセット等を含んでもよい。複数の命令は、ソースコード、コンパイラ型コード、インタープリタ型コード、実行可能コード、スタティックコード、ダイナミックコード、暗号化コード等のような任意の適切な種類のコードを含んでもよく、これらは、任意の適切な高レベル、低レベル、オブジェクト指向、ビジュアル、コンパイラ型及び／またはインタープリタ型プログラミング言語を用いて実装されてもよい。
【００５８】
以下の複数の例は、さらなる複数の実施形態に関する。
【００５９】
例１は、進化型パケットコアノード（ＥＰＣノード）であり、ユーザ端末（ＵＥ）に対するモビリティ手続きの通知を受信し、ＵＥのローカルゲートウェイによる（Ｌ−ＧＷによる）パケットデータネットワーク接続（ＰＤＮ接続）を解放するか否かを決定し、Ｌ−ＧＷによるＰＤＮ接続が解放されるべきという決定に応答して、デタッチ要求メッセージまたはセッション削除要求メッセージのいずれかを送信することにより、Ｌ−ＧＷによるＰＤＮ接続を解放する処理を開始するプロセッサ回路を備える。
【００６０】
例２において、例１のＬ−ＧＷによるＰＤＮ接続は、任意に、ローカルネットワークにおいて選択されたインターネットプロトコルトラフィックのオフロード（ＳＩＰＴＯ@ＬＮ）によるＰＤＮ接続を含んでもよい。
【００６１】
例３において、例１から２のいずれかに記載のプロセッサ回路は、任意に、Ｌ−ＧＷによるＰＤＮ接続がＵＥの唯一のＰＤＮ接続を含むという決定に応答して、デタッチ要求メッセージを送信することにより、Ｌ−ＧＷによるＰＤＮ接続を解放するために、モビリティ管理エンティティ（ＭＭＥ）開始デタッチ処理を開始してもよい。
【００６２】
例４において、例１から２のいずれかに記載のプロセッサ回路は、任意に、Ｌ−ＧＷによるＰＤＮ接続がＵＥの唯一のＰＤＮ接続を含むのではないという決定に応答して、セッション削除要求メッセージを送信することにより、Ｌ−ＧＷによるＰＤＮ接続を解放するためのモビリティ管理エンティティ（ＭＭＥ）要求ＰＤＮ切断処理を開始してもよい。
【００６３】
例５において、例４のプロセッサ回路は、任意に、再アクティブ化要求原因を有するセッション削除要求メッセージを送信してもよい。
【００６４】
例６において、例１から５のいずれかに記載のプロセッサ回路は、任意に、モビリティ手続きの後で、デタッチ要求メッセージまたはセッション削除要求メッセージのいずれかを送信してもよい。
【００６５】
例７において、例１から６のいずれかに記載のモビリティ手続きは、任意に、トラッキングエリア更新（ＴＡＵ）を含んでもよい。
【００６６】
例８において、例１から６のいずれかに記載のモビリティ手続きは、任意に、ハンドオーバを含んでもよい。
【００６７】
例９は、例１から８のいずれかに記載のＥＰＣノードであり、無線周波数（ＲＦ）送受信機と、１つまたは複数のＲＦアンテナとを備える。
【００６８】
例１０は、少なくとも１つの非一時的コンピュータ可読記憶媒体であり、無線接続管理命令のセットを備え、これは、モビリティ管理エンティティ（ＭＭＥ）上で実行されたことに応答して、ＭＭＥに、ユーザ端末（ＵＥ）に対するモビリティ手続き中にモビリティ手続き制御メッセージを受信し、モビリティ手続き制御メッセージに基づいて、ローカルネットワークにおいて選択されたインターネットプロトコルトラフィックのオフロード（ＳＩＰＴＯ@ＬＮ）によるＵＥのパケットデータネットワーク接続（ＰＤＮ接続）の解放を決定し、モビリティ手続きの後で、ＳＩＰＴＯ@ＬＮ  ＰＤＮ接続の非アクティブ化を実行させる。
【００６９】
例１１において、例１０に記載の少なくとも１つの非一時的コンピュータ可読記憶媒体は、任意に、複数の無線接続管理命令を備えてもよく、これらは、ＭＭＥ上で実行されたことに応答して、ＳＩＰＴＯ@ＬＮ  ＰＤＮ接続がＵＥの唯一のＰＤＮ接続を含むのではないという決定に応答してＭＭＥ要求ＰＤＮ切断手続きを開始することによって、ＭＭＥに、ＳＩＰＴＯ@ＬＮ  ＰＤＮ接続の非アクティブ化を実行させる。
【００７０】
例１２において、例１１に記載の少なくとも１つの非一時的コンピュータ可読記憶媒体は、任意に、複数の無線接続管理命令を備えてもよく、これらは、ＭＭＥ上で実行されたことに応答して、ＭＭＥに、再アクティブ化要求原因を有するＭＭＥ要求ＰＤＮ切断手続きを開始させる。
【００７１】
例１３において、例１０に記載の少なくとも１つの非一時的コンピュータ可読記憶媒体は、任意に、複数の無線接続管理命令を備えてもよく、これらは、ＭＭＥ上で実行されたことに応答して、ＳＩＰＴＯ@ＬＮ  ＰＤＮ接続がＵＥの唯一のＰＤＮ接続を含むという決定に応答してＭＭＥ開始デタッチ手続きを開始することによって、ＭＭＥに、ＳＩＰＴＯ@ＬＮ  ＰＤＮ接続の非アクティブ化を実行させる。
【００７２】
例１４において、例１０から１３のいずれかに記載のモビリティ手続きは、任意に、トラッキングエリア更新手続き（ＴＡＵ手続き）を含んでもよく、モビリティ手続き制御メッセージは、任意に、コンテキスト応答メッセージを含んでもよい。
【００７３】
例１５において、例１０から１３のいずれかに記載のモビリティ手続きは、任意に、ハンドオーバ手続きを含んでもよく、モビリティ手続き制御メッセージは、任意に、優先再配置要求メッセージを含んでもよい。
【００７４】
例１６において、例１０から１５のいずれかに記載の少なくとも１つの非一時的コンピュータ可読記憶媒体は、任意に、複数の無線接続管理命令を備えてもよく、これらは、ＭＭＥ上で実行されたことに応答して、ＭＭＥに、ＵＥの前のサービングＭＭＥからモビリティ手続き制御メッセージを受信させる。
【００７５】
例１７において、例１０から１６のいずれかに記載の少なくとも１つの非一時的コンピュータ可読記憶媒体は、任意に、複数の無線接続管理命令を備え、これらは、ＭＭＥ上で実行されたことに応答して、ＭＭＥに、Ｓ１０インタフェース接続によってモビリティ手続き制御メッセージを受信させる。
【００７６】
例１８は、無線接続管理方法であり、ユーザ端末（ＵＥ）に対するトラッキングエリア更新手続き（ＴＡＵ手続き）の通知を、ＴＡＵ手続き中に受信する段階と、ローカルネットワークにおいて選択されたインターネットプロトコルトラフィックのオフロード（ＳＩＰＴＯ@ＬＮ）によるＵＥのパケットデータネットワーク接続（ＰＤＮ接続）を特定し、かつ、ＵＥのローカルホームネットワーク識別子（ＬＨＮ−ＩＤ）を特定するコンテキスト応答メッセージを受信する段階と、プロセッサ回路によって、ＳＩＰＴＯ@ＬＮ  ＰＤＮ接続の解放を指示するか否かをＬＨＮ−ＩＤに基づいて決定する段階と、を備える。
【００７７】
例１９において、例１８に記載の無線接続管理方法は、任意に、ＵＥのローカルホームネットワークがＴＡＵ手続きに従って変化しないというＬＨＮ−ＩＤに基づく決定に応答して、ＳＩＰＴＯ@ＬＮ  ＰＤＮ接続の解放を指示しないことを決定する段階を備えてもよい。
【００７８】
例２０において、例１８に記載の無線接続管理方法は、任意に、ＵＥのローカルホームネットワークがＴＡＵ手続きに従って変化するというＬＨＮ−ＩＤに基づく決定に応答して、ＳＩＰＴＯ@ＬＮ  ＰＤＮ接続の解放を指示することを決定する段階を備えてもよい。
【００７９】
例２１において、例２０に記載の無線接続管理方法は、任意に、ＳＩＰＴＯ@ＬＮ  ＰＤＮ接続がＵＥの唯一のＰＤＮ接続であるか否かを決定する段階を備えてもよい。
【００８０】
例２２において、例２１に記載の無線接続管理方法は、任意に、ＳＩＰＴＯ@ＬＮ  ＰＤＮ接続がＵＥの唯一のＰＤＮ接続ではないという決定に基づいてＰＤＮ切断手続きを開始することによって、ＳＩＰＴＯ@ＬＮ  ＰＤＮ接続の解放を指示する段階を備えてもよい。
【００８１】
例２３において、例２２に記載の無線接続管理方法は、任意に、再アクティブ化要求原因を有するＰＤＮ切断手続きを開始する段階を備えてもよい。
【００８２】
例２４において、例２１に記載の無線接続管理方法は、任意に、ＳＩＰＴＯ@ＬＮ  ＰＤＮ接続がＵＥの唯一のＰＤＮ接続であるという決定に基づいてデタッチ手続きを開始することによって、ＳＩＰＴＯ@ＬＮ  ＰＤＮ接続の解放を指示する段階を備えてもよい。
【００８３】
例２５において、例１８から２３のいずれかに記載の無線接続管理方法は、任意に、ＵＥの古いＭＭＥからコンテキスト応答メッセージを受信する段階を備えてもよい。
【００８４】
例２６は、命令セットを備える少なくとも１つの非一時的コンピュータ可読記憶媒体であり、命令セットは、コンピューティングデバイス上で実行されたことに応答して、コンピューティングデバイスに、例１８から２５のいずれかによる無線接続管理方法を実行させる。
【００８５】
例２７は、例１８から２５のいずれによる無線接続管理方法を実行する手段を備える装置である。
【００８６】
例２８は、例２７による装置と、無線周波数（ＲＦ）送受信機と、１つまたは複数のＲＦアンテナとを備えるシステムである。
【００８７】
例２９は、モビリティ管理エンティティ（ＭＭＥ）であり、その少なくとも一部がハードウェアにあるロジックを備え、ロジックは、ユーザ端末（ＵＥ）に対するモビリティ手続き中に、モビリティ手続き制御メッセージを受信し、モビリティ手続き制御メッセージに基づいて、ローカルネットワークにおいて選択されたインターネットプロトコルトラフィックのオフロード（ＳＩＰＴＯ@ＬＮ）によるＵＥのパケットデータネットワーク接続（ＰＤＮ接続）を解放することを決定し、モビリティ手続きの後で、ＳＩＰＴＯ@ＬＮ  ＰＤＮ接続の非アクティブ化を実行する。
【００８８】
例３０において、例２９に記載のロジックは、任意に、ＳＩＰＴＯ@ＬＮ  ＰＤＮ接続がＵＥの唯一のＰＤＮ接続を含むのではないという決定に応答して、ＭＭＥ要求ＰＤＮ切断手続きを開始することによって、ＳＩＰＴＯ@ＬＮ  ＰＤＮ接続の非アクティブ化を実行してもよい。
【００８９】
例３１において、例３０に記載のロジックは、任意に、再アクティブ化要求原因を有するＭＭＥ要求ＰＤＮ切断手続きを開始してもよい。
【００９０】
例３２において、例２９に記載のロジックは、任意に、ＳＩＰＴＯ@ＬＮ  ＰＤＮ接続がＵＥの唯一のＰＤＮ接続を含むという決定に応答してＭＭＥ開始デタッチ手続きを開始することによって、ＳＩＰＴＯ@ＬＮ  ＰＤＮ接続の非アクティブ化を実行してもよい。
【００９１】
例３３において、例２９から３２のいずれかに記載のモビリティ手続きは、任意に、トラッキングエリア更新手続き（ＴＡＵ手続き）を含んでもよく、モビリティ手続き制御メッセージは、任意に、コンテキスト応答メッセージを含んでもよい。
【００９２】
例３４において、例２９から３２のいずれかに記載のモビリティ手続きは、任意に、ハンドオーバ手続きを含んでもよく、モビリティ手続き制御メッセージは、任意に、優先再配置要求メッセージを含んでもよい。
【００９３】
例３５において、例２９から３４のいずれかに記載のロジックは、任意に、ＵＥの前のサービングＭＭＥから、モビリティ手続き制御メッセージを受信してもよい。
【００９４】
例３６において、例２９から３５のいずれかに記載のロジックは、任意に、Ｓ１０インタフェース接続によってモビリティ手続き制御メッセージを受信してもよい。
【００９５】
例３７は、例２９から３６のいずれかに記載のＭＭＥであり、無線周波数（ＲＦ）送受信機と、１つまたは複数のＲＦアンテナとを備える。
【００９６】
例３８は、複数の無線接続管理命令のセットを備える少なくとも１つの非一時的コンピュータ可読記憶媒体であり、複数の無線接続管理命令のセットは、モビリティ管理エンティティ（ＭＭＥ）上で実行されたことに応答して、ＭＭＥに、ユーザ端末（ＵＥ）に対するトラッキングエリア更新手続き（ＴＡＵ手続き）の通知を、ＴＡＵ手続き中に受信し、ローカルネットワークにおいて選択されたインターネットプロトコルトラフィックのオフロード（ＳＩＰＴＯ@ＬＮ）によるＵＥのパケットデータネットワーク接続（ＰＤＮ接続）を特定し、かつ、ＵＥのローカルホームネットワーク識別子（ＬＨＮ−ＩＤ）を特定するコンテキスト応答メッセージを受信し、ＬＨＮ−ＩＤに基づいて、ＳＩＰＴＯ@ＬＮ  ＰＤＮ接続の解放を指示するか否かを決定させる。
【００９７】
例３９において、例３８に記載の少なくとも１つの非一時的コンピュータ可読記憶媒体は、任意に、ＭＭＥ上で実行されたことに応答して、ＭＭＥに、ＵＥのローカルホームネットワークがＴＡＵ手続きに従って変化しないというＬＨＮ−ＩＤに基づく決定に応答してＳＩＰＴＯ@ＬＮ  ＰＤＮ接続の解放を指示しないことを決定させる、複数の無線接続管理命令を備えてもよい。
【００９８】
例４０において、例３８に記載の少なくとも１つの非一時的コンピュータ可読記憶媒体は、任意に、ＭＭＥ上で実行されたことに応答して、ＭＭＥに、ＵＥのローカルホームネットワークがＴＡＵ手続きに従って変化するというＬＨＮ−ＩＤに基づく決定に応答して、ＳＩＰＴＯ@ＬＮ  ＰＤＮ接続の解放を指示することを決定させる、複数の無線接続管理命令を備えてもよい。
【００９９】
例４１において、例４０に記載の少なくとも１つの非一時的コンピュータ可読記憶媒体は、任意に、ＭＭＥ上で実行されたことに応答して、ＭＭＥに、ＳＩＰＴＯ@ＬＮ  ＰＤＮ接続がＵＥの唯一のＰＤＮ接続であるか否かを決定させる、複数の無線接続管理命令を備えてもよい。
【０１００】
例４２において、例４１に記載の少なくとも１つの非一時的コンピュータ可読記憶媒体は、任意に、ＭＭＥ上で実行されたことに応答して、ＭＭＥに、ＳＩＰＴＯ@ＬＮ  ＰＤＮ接続がＵＥの唯一のＰＤＮ接続ではないという決定に基づいてＰＤＮ切断手続きを開始することによって、ＳＩＰＴＯ@ＬＮ  ＰＤＮ接続の解放を指示させる、複数の無線接続管理命令を備えてもよい。
【０１０１】
例４３において、例４２に記載の少なくとも１つの非一時的コンピュータ可読記憶媒体は、任意に、ＭＭＥ上で実行されたことに応答して、ＭＭＥに、再アクティブ化要求原因を有するＰＤＮ切断手続きを開始させる、複数の無線接続管理命令を備えてもよい。
【０１０２】
例４４において、例４１に記載の少なくとも１つの非一時的コンピュータ可読記憶媒体は、任意に、ＭＭＥ上で実行されたことに応答して、ＭＭＥに、ＳＩＰＴＯ@ＬＮ  ＰＤＮ接続がＵＥの唯一のＰＤＮ接続であるという決定に基づいてデタッチ手続きを開始することによって、ＳＩＰＴＯ@ＬＮ  ＰＤＮ接続の解放を指示させる、複数の無線接続管理命令を備えてもよい。
【０１０３】
例４５において、例３８から４４のいずれかに記載のＭＭＥは、任意に、ＴＡＵ手続きの後で、ＵＥの新たなＭＭＥを備えてもよく、ＭＭＥは、任意に、ＵＥの古いＭＭＥからコンテキスト応答メッセージを受信してもよい。
【０１０４】
例４６は、無線接続管理方法であり、ユーザ端末（ＵＥ）のハンドオーバに対するターゲットモビリティ管理エンティティ（ＭＭＥ）において、再配置転送要求を受信する段階と、プロセッサ回路によって、再配置転送要求に基づいて、ＵＥのローカルゲートウェイによる（Ｌ−ＧＷによる）パケットデータネットワーク接続（ＰＤＮ接続）が切断されるべきであると決定する段階と、Ｌ−ＧＷによるＰＤＮ接続がＵＥの単独のＰＤＮ接続を含むか否かという決定に基づいて、Ｌ−ＧＷによるＰＤＮ接続を切断する処理を選択する段階と、を備える。
【０１０５】
例４７において、例４６に記載のＬ−ＧＷによるＰＤＮ接続は、任意に、ローカルネットワークにおいて選択されたインターネットプロトコルトラフィックのオフロード（ＳＩＰＴＯ@ＬＮ）によるＰＤＮ接続を備えてもよい。
【０１０６】
例４８において、例４６から４７のいずれかに記載の無線接続管理方法は、任意に、選択された処理を開始することによって、ＵＥのハンドオーバの後で、Ｌ−ＧＷによるＰＤＮ接続を切断する段階を備えてもよい。
【０１０７】
例４９において、例４６から４８のいずれかに記載の無線接続管理方法は、任意に、Ｌ−ＧＷによるＰＤＮ接続がＵＥの単独のＰＤＮ接続を含むという決定に応答して、ＭＭＥ開始デタッチ処理を選択する段階を備えてもよい。
【０１０８】
例５０において、例４６から４８のいずれに記載の無線接続管理方法は、任意に、Ｌ−ＧＷによるＰＤＮ接続がＵＥの単独のＰＤＮ接続を備えてはいないという決定に応答して、ＭＭＥ要求によるＰＤＮ切断処理を選択する段階を備えてもよい。
【０１０９】
例５１において、例５０に記載の無線接続管理方法は、任意に、再アクティブ化要求原因を有するＭＭＥ要求によるＰＤＮ切断処理を開始する段階を備えてもよい。
【０１１０】
例５２において、例４６から５１のいずれかに記載の無線接続管理方法は、任意に、ＵＥのハンドオーバに対するソースＭＭＥから再配置転送要求を受信する段階を備えてもよい。
【０１１１】
例５３において、例４６から５２のいずれかに記載の無線接続管理方法は、任意に、再配置転送要求と、ＵＥのローカルホームネットワーク（ＬＨＮ）がＵＥのハンドオーバ中に変化していないという決定とに基づいて、ＵＥのＬ−ＧＷによるＰＤＮ接続が切断されるべきであると決定する段階を備えてもよい。
【０１１２】
例５４は、命令セットを備える少なくとも１つの非一時的コンピュータ可読記憶媒体であり、命令セットは、コンピューティングデバイス上で実行されたことに応答して、コンピューティングデバイスに、例４６から５３のいずれかによる無線接続管理方法を実行させる。
【０１１３】
例５５は、例４６から５３のいずれかによる無線接続管理方法を実行する手段を備える装置である。
【０１１４】
例５６は、例に５５による装置と、無線周波数（ＲＦ）送受信機と、１つまたは複数のＲＦアンテナと、を備えるシステムである。
【０１１５】
例５７は、モビリティ管理エンティティ（ＭＭＥ）であり、ユーザ端末（ＵＥ）に対するトラッキングエリア更新手続き（ＴＡＵ手続き）の通知を受信し、ＴＡＵ手続き中に、ローカルネットワークにおいて選択されたインターネットプロトコルトラフィックのオフロード（ＳＩＰＴＯ@ＬＮ）によるＵＥのパケットデータネットワーク接続（ＰＤＮ接続）を特定し、かつ、ＵＥのローカルホームネットワーク識別子（ＬＨＮ−ＩＤ）を特定するコンテキスト応答メッセージを受信し、ＬＨＮ−ＩＤに基づいてＳＩＰＴＯ@ＬＮ  ＰＤＮ接続の解放を指示するか否かを決定する、プロセッサ回路を備える。
【０１１６】
例５８において、例５７に記載のプロセッサ回路は、任意に、ＵＥのローカルホームネットワークがＴＡＵ手続きに従って変化しないというＬＨＮ−ＩＤに基づく決定に応答して、ＳＩＰＴＯ@ＬＮ  ＰＤＮ接続の解放を指示しないことを決定してもよい。
【０１１７】
例５９において、例５７に記載のプロセッサ回路は、任意に、ＵＥのローカルホームネットワークがＴＡＵ手続きに従って変化するというＬＨＮ−ＩＤに基づく決定に応答して、ＳＩＰＴＯ@ＬＮ  ＰＤＮ接続の解放を指示することを決定してもよい。
【０１１８】
例６０において、例５９に記載のプロセッサ回路は、任意に、ＳＩＰＴＯ@ＬＮ  ＰＤＮ接続がＵＥの唯一のＰＤＮ接続であるか否かを決定してもよい。
【０１１９】
例６１において、例６０に記載のプロセッサ回路は、任意に、ＰＤＮ切断手続きを開始することによって、ＳＩＰＴＯ@ＬＮ  ＰＤＮ接続がＵＥの唯一のＰＤＮ接続ではないという決定に基づいて、ＳＩＰＴＯ@ＬＮ  ＰＤＮ接続の解放を指示してもよい。
【０１２０】
例６２において、例６１に記載のプロセッサ回路は、任意に、再アクティブ化要求原因を有するＰＤＮ切断手続きを開始してもよい。
【０１２１】
例６３において、例６０に記載のプロセッサ回路は、任意に、ＳＩＰＴＯ@ＬＮ  ＰＤＮ接続がＵＥの唯一のＰＤＮ接続であるという決定に基づいてデタッチ手続きを開始することによって、ＳＩＰＴＯ@ＬＮ  ＰＤＮ接続の解放を指示してもよい。
【０１２２】
例６４において、例５７から６３のいずれかに記載のＭＭＥは、任意に、ＴＡＵ手続きの後で、ＵＥの新たなＭＭＥを備えてもよく、プロセッサ回路は、任意に、ＵＥの古いＭＭＥからコンテキスト応答メッセージを受信してもよい。
【０１２３】
例６５は、例５７から６４のいずれかに記載のＭＭＥであり、無線周波数（ＲＦ）送受信機と、１つまたは複数のＲＦアンテナと、を備える。
【０１２４】
例６６は、複数の無線接続管理命令のセットを備える少なくとも１つの非一時的コンピュータ可読記憶媒体であり、複数の無線接続管理命令のセットは、コンピューティングデバイス上で実行されたことに応答して、コンピューティングデバイスに、ユーザ端末（ＵＥ）のハンドオーバに対するターゲットモビリティ管理エンティティ（ＭＭＥ）において、再配置転送要求を受信し、再配置転送要求に基づいて、ＵＥのローカルゲートウェイによる（Ｌ−ＧＷによる）パケットデータネットワーク接続（ＰＤＮ接続）が切断されるべきであると決定し、Ｌ−ＧＷによるＰＤＮ接続がＵＥの単独のＰＤＮ接続を含むという決定に基づいて、Ｌ−ＧＷによるＰＤＮ接続を切断するための処理を選択させる。
【０１２５】
例６７において、例６６に記載のＬ−ＧＷによるＰＤＮ接続は、任意に、ローカルネットワークにおいて選択されたインターネットプロトコルトラフィックのオフロード（ＳＩＰＴＯ@ＬＮ）によるＰＤＮ接続を備えてもよい。
【０１２６】
例６８において、例６６から６７のいずれかに記載の少なくとも１つの非一時的コンピュータ可読記憶媒体は、任意に、複数の無線接続管理命令を備えてもよく、これらは、コンピューティングデバイス上で実行されたことに応答して、コンピューティングデバイスに、選択された処理を開始することによって、ＵＥのハンドオーバの後で、Ｌ−ＧＷによるＰＤＮ接続を切断させる。
【０１２７】
例６９において、例６６から６８のいずれかに記載の少なくとも１つの非一時的コンピュータ可読記憶媒体は、任意に、複数の無線接続管理命令を備えてもよく、これらは、コンピューティングデバイス上で実行されたことに応答して、コンピューティングデバイスに、Ｌ−ＧＷによるＰＤＮ接続がＵＥの単独のＰＤＮ接続を含むという決定に応答して、ＭＭＥ開始デタッチ処理を選択させる。
【０１２８】
例７０において、例６６から６８のいずれかに記載の少なくとも１つの非一時的コンピュータ可読記憶媒体は、任意に、複数の無線接続管理命令を備えてもよく、これらは、コンピューティングデバイス上で実行されたことに応答して、コンピューティングデバイスに、Ｌ−ＧＷによるＰＤＮ接続がＵＥの単独のＰＤＮ接続を含まないという決定に応答して、ＭＭＥ要求によるＰＤＮ切断処理を選択させる。
【０１２９】
例７１において、例７０に記載の少なくとも１つの非一時的コンピュータ可読記憶媒体は、任意に、複数の無線接続管理命令を備えてもよく、これらは、コンピューティングデバイス上で実行されたことに応答して、コンピューティングデバイスに、再アクティブ化要求原因を有するＭＭＥ要求によるＰＤＮ切断処理を開始させる。
【０１３０】
例７２において、例６６から７１のいずれかに記載の少なくとも１つの非一時的コンピュータ可読記憶媒体は、任意に、複数の無線接続管理命令を備えてもよく、これらは、コンピューティングデバイス上で実行されたことに応答して、コンピューティングデバイスに、ＵＥのハンドオーバに対するソースＭＭＥから再配置転送要求を受信させる。
【０１３１】
例７３において、例６６から７２のいずれかに記載の少なくとも１つの非一時的コンピュータ可読記憶媒体は、任意に、複数の無線接続管理命令を備えてもよく、これらは、コンピューティングデバイス上で実行されたことに応答して、コンピューティングデバイスに、再配置転送要求と、ＵＥのローカルホームネットワーク（ＬＨＮ）がＵＥのハンドオーバ中に変化しないという決定とに基づいて、ＵＥのＬ−ＧＷによるＰＤＮ接続が切断されるべきであると決定させる。
【０１３２】
例７４は、無線接続管理方法であり、をユーザ端末（ＵＥ）に対するモビリティ手続きの通知を受信する段階と、プロセッサ回路によって、ＵＥのローカルゲートウェイによる（Ｌ−ＧＷによる）パケットデータネットワーク接続（ＰＤＮ接続）を解放するか否かを決定する段階と、Ｌ−ＧＷによるＰＤＮ接続が解放されるべきという決定に応答して、デタッチ要求メッセージまたはセッション削除要求メッセージのいずれかを送信することにより、Ｌ−ＧＷによるＰＤＮ接続を解放するための処理を開始する段階と、を備える。
【０１３３】
例７５において、例７４に記載のＬ−ＧＷによるＰＤＮ接続は、任意に、ローカルネットワークにおいて選択されたインターネットプロトコルトラフィックのオフロード（ＳＩＰＴＯ@ＬＮ）によるＰＤＮ接続を備えてもよい。
【０１３４】
例７６において、例７４から７５のいずれかに記載の無線接続管理方法は、任意に、デタッチ要求メッセージを送信することにより、Ｌ−ＧＷによるＰＤＮ接続を解放するために、Ｌ−ＧＷによるＰＤＮ接続がＵＥの唯一のＰＤＮ接続を含むのではないという決定に応答してモビリティ管理エンティティ（ＭＭＥ）開始デタッチ処理を開始する段階を備えてもよい。
【０１３５】
例７７において、例７４から７５のいずれかに記載の無線接続管理方法は、任意に、セッション削除要求メッセージを送信することにより、Ｌ−ＧＷによるＰＤＮ接続はＵＥの唯一のＰＤＮ接続を含むのではないという決定に応答して、Ｌ−ＧＷによるＰＤＮ接続を解放するために、モビリティ管理エンティティ（ＭＭＥ）要求ＰＤＮ切断処理を開始する段階を備えてもよい。
【０１３６】
例７８において、例７７に記載の無線接続管理方法は、任意に、再アクティブ化要求原因を有するセッション削除要求メッセージを送信する段階を備えてもよい。
【０１３７】
例７９において、例７４から７８のいずれかに記載の無線接続管理方法は、任意に、モビリティ手続きの後で、デタッチ要求メッセージまたはセッション削除要求メッセージのいずれかを送信する段階を備えてもよい。
【０１３８】
例８０において、例７４から７９のいずれかに記載のモビリティ手続きは、任意に、トラッキングエリア更新（ＴＡＵ）を備えてもよい。
【０１３９】
例８１において、例７４から８０のいずれかに記載のモビリティ手続きは、任意に、ハンドオーバを備えてもよい。
【０１４０】
例８２は、命令セットを備える少なくとも１つの非一時的コンピュータ可読記憶媒体であり、命令セットは、コンピューティングデバイス上で実行されたことに応答して、コンピューティングデバイスに、例７４から８１のいずれかによる無線接続管理方法を実行させる。
【０１４１】
例８３は、例７４から８１のいずれかによる無線接続管理方法を実行する手段を備える装置である。
【０１４２】
例８４は、例８３による装置と、無線周波数（ＲＦ）送受信機と、１つまたは複数のＲＦアンテナと、を備えるシステムである。
【０１４３】
例８５は、進化型パケットコアノード（ＥＰＣノード）であり、その少なくとも一部がハードウェアにあるロジックを備え、ロジックは、ユーザ端末（ＵＥ）のハンドオーバに対するターゲットモビリティ管理エンティティ（ＭＭＥ）において、再配置転送要求を受信し、再配置転送要求に基づいて、ＵＥのローカルゲートウェイによる（Ｌ−ＧＷによる）パケットデータネットワーク接続（ＰＤＮ接続）が切断されるべきであると決定し、Ｌ−ＧＷによるＰＤＮ接続がＵＥの単独のＰＤＮ接続を含むか否かの決定に基づいて、Ｌ−ＧＷによるＰＤＮ接続を切断するための処理を選択する。
【０１４４】
例８６において、例８５に記載のＬ−ＧＷによるＰＤＮ接続は、任意に、ローカルネットワークにおいて選択されたインターネットプロトコルトラフィックのオフロード（ＳＩＰＴＯ@ＬＮ）によるＰＤＮ接続を備えてもよい。
【０１４５】
例８７において、例８５から８６のいずれかに記載のロジックは、任意に、ＵＥのハンドオーバの後で、選択された処理を開始することによって、Ｌ−ＧＷによるＰＤＮ接続を切断してもよい。
【０１４６】
例８８において、例８５から８７のいずれかに記載のロジックは、任意に、Ｌ−ＧＷによるＰＤＮ接続がＵＥの単独のＰＤＮ接続を含むという決定に応答して、ＭＭＥ開始デタッチ処理を選択してもよい。
【０１４７】
例８９において、例８５から８７のいずれかに記載のロジックは、任意に、Ｌ−ＧＷによるＰＤＮ接続がＵＥの単独のＰＤＮ接続を含まないという決定に応答して、ＭＭＥ要求によるＰＤＮ切断処理を選択してもよい。
【０１４８】
例９０において、例８９に記載のロジックは、任意に、再アクティブ化要求原因を有するＭＭＥ要求によるＰＤＮ切断処理を開始してもよい。
【０１４９】
例９１において、例８５から９０のいずれかに記載のロジックは、任意に、ＵＥのハンドオーバに対するソースＭＭＥから再配置転送要求を受信してもよい。
【０１５０】
例９２において、例８５から９１のいずれかに記載のロジックは、任意に、再配置転送要求と、ＵＥのローカルホームネットワーク（ＬＨＮ）がＵＥのハンドオーバ中に変化しないという決定とに基づいて、ＵＥのＬ−ＧＷによるＰＤＮ接続が切断されるべきであると決定してもよい。
【０１５１】
例９３は、例８５から９２のいずれかに記載のＥＰＣノードであり、無線周波数（ＲＦ）送受信機と、１つまたは複数のＲＦアンテナと、を備える。
【０１５２】
例９４は、複数の無線接続管理命令のセットを備える少なくとも１つの非一時的コンピュータ可読記憶媒体であり、複数の無線接続管理命令のセットは、モビリティ管理エンティティ（ＭＭＥ）上で実行されたことに応答して、ＭＭＥに、ユーザ端末（ＵＥ）に対するモビリティ手続きの通知を受信し、ＵＥのローカルゲートウェイによる（Ｌ−ＧＷによる）パケットデータネットワーク接続（ＰＤＮ接続）を解放するか否かを決定し、Ｌ−ＧＷによるＰＤＮ接続が解放されるべきという決定に応答して、デタッチ要求メッセージまたはセッション削除要求メッセージのいずれかを送信することにより、Ｌ−ＧＷによるＰＤＮ接続を解放するための処理を開始させる。
【０１５３】
例９５において、例９４に記載のＬ−ＧＷによるＰＤＮ接続は、任意に、ローカルネットワークにおいて選択されたインターネットプロトコルトラフィックのオフロード（ＳＩＰＴＯ@ＬＮ）によるＰＤＮ接続を備えてもよい。
【０１５４】
例９６において、例９４から９５のいずれかに記載の少なくとも１つの非一時的コンピュータ可読記憶媒体は、任意に、複数音無線接続管理命令を備えてもよく、これらは、ＭＭＥ上で実行されたことに応答して、ＭＭＥに、デタッチ要求メッセージを送信させることにより、Ｌ−ＧＷによるＰＤＮ接続を解放するために、Ｌ−ＧＷによるＰＤＮ接続がＵＥの唯一のＰＤＮ接続を含むという決定に応答して、モビリティ管理エンティティ（ＭＭＥ）開始デタッチ処理を開始する。
【０１５５】
例９７において、例９４から９５のいずれかに記載の少なくとも１つの非一時的コンピュータ可読記憶媒体は、任意に、複数の無線接続管理命令を備えてもよく、これらは、ＭＭＥ上で実行されたことに応答して、ＭＭＥに、セッション削除要求メッセージを送信させることにより、Ｌ−ＧＷによるＰＤＮ接続がＵＥのＰＤＮ接続のみを含まないという決定に応答して、Ｌ−ＧＷによるＰＤＮ接続を解放するために、モビリティ管理エンティティ（ＭＭＥ）要求ＰＤＮ切断処理を開始する。
【０１５６】
例９８において、例９７に記載の少なくとも１つの非一時的コンピュータ可読記憶媒体は、任意に、複数の無線接続管理命令を備え、これらは、ＭＭＥ上で実行されたことに応答して、ＭＭＥに、再アクティブ化要求原因を有するセッション削除要求メッセージを送信させる。
【０１５７】
例９９において、例９４から９８のいずれかに記載の少なくとも１つの非一時的コンピュータ可読記憶媒体は、任意に、複数の無線接続管理命令を備えてもよく、これらは、ＭＭＥ上で実行されたことに応答して、ＭＭＥに、モビリティ手続きの後で、デタッチ要求メッセージまたはセッション削除要求メッセージのいずれかを送信させる。
【０１５８】
例１００において、例９４から９９のいずれかに記載のモビリティ手続きは、任意に、トラッキングエリア更新（ＴＡＵ）を備えてもよい。
【０１５９】
例１０１において、例９４から９９のいずれかに記載のモビリティ手続きは、任意に、ハンドオーバを備える。
【０１６０】
例１０２は、無線接続管理方法であり、ユーザ端末（ＵＥ）に対するモビリティ手続き中に、モビリティ手続き制御メッセージを受信する段階と、プロセッサ回路によって、モビリティ手続き制御メッセージに基づいて、ローカルネットワークにおいて選択されたインターネットプロトコルトラフィックのオフロード（ＳＩＰＴＯ@ＬＮ）によるＵＥのパケットデータネットワーク接続（ＰＤＮ接続）を解放することを決定する段階と、モビリティ手続きの後で、ＳＩＰＴＯ@ＬＮ  ＰＤＮ接続の非アクティブ化を実行する段階と、を備える。
【０１６１】
例１０３において、例１０２に記載の無線接続管理方法は、任意に、ＳＩＰＴＯ@ＬＮ  ＰＤＮ接続がＵＥの唯一のＰＤＮ接続を含むのではないという決定に応答して、ＭＭＥ要求ＰＤＮ切断手続きを開始することによって、ＳＩＰＴＯ@ＬＮ  ＰＤＮ接続の非アクティブ化を実行する段階を備えてもよい。
【０１６２】
例１０４において、例１０３に記載の無線接続管理方法は、任意に、再アクティブ化要求原因を有するＭＭＥ要求ＰＤＮ切断手続きを開始する段階を備えてもよい。
【０１６３】
例１０５において、例１０２に記載の無線接続管理方法は、任意に、ＳＩＰＴＯ@ＬＮ  ＰＤＮ接続がＵＥの唯一のＰＤＮ接続を含むという決定に応答して、ＭＭＥ開始デタッチ手続きを開始することによって、ＳＩＰＴＯ@ＬＮ  ＰＤＮ接続の非アクティブ化を実行する段階を備えてもよい。
【０１６４】
例１０６において、例１０２から１０５のいずれかに記載のモビリティ手続きは、任意に、トラッキングエリア更新手続き（ＴＡＵ手続き）を含んでもよく、モビリティ手続き制御メッセージは、任意に、コンテキスト応答メッセージを含んでもよい。
【０１６５】
例１０７において、例１０２から１０５のいずれかに記載のモビリティ手続きは、任意に、ハンドオーバ手続きを含んでもよく、モビリティ手続き制御メッセージは、任意に、優先再配置要求メッセージを含んでもよい。
【０１６６】
例１０８において、例１０２から１０７のいずれかに記載の無線接続管理方法は、任意に、ＵＥの前のサービングＭＭＥからモビリティ手続き制御メッセージを受信する段階を備えてもよい。
【０１６７】
例１０９において、例１０２から１０８のいずれかに記載の無線接続管理方法は、任意に、Ｓ１０インタフェース接続によってモビリティ手続き制御メッセージを受信する段階を備えてもよい。
【０１６８】
例１１０は、命令セットを備える少なくとも１つの非一時的コンピュータ可読記憶媒体であり、命令セットは、コンピューティングデバイス上で実行されたことに応答して、コンピューティングデバイスに、例１０２から１０９のいずれかによる無線接続管理方法を実行させる。
【０１６９】
例１１１は、例１０２から１０９のいずれかによる無線接続管理方法を実行する手段を備える装置である。
【０１７０】
例１１２は、例１１１による装置と、無線周波数（ＲＦ）送受信機と、１つまたは複数のＲＦアンテナと、を備えるシステムである。
【０１７１】
多数の具体的な詳細が本明細書において説明されたことにより、複数の実施形態について十分な理解が提供された。しかしながら、当業者であれば、これらの具体的な詳細がなくとも複数の実施形態を実施可能であることが理解されよう。他の複数の例において、周知の複数の動作、複数のコンポーネント及び複数の回路は、実施形態を曖昧にしないよう、詳細には説明されていない。本明細書において開示された複数の具体的な構造的及び機能的な詳細は、代表たり得るものであり、複数の実施形態の範囲を必ずしも限定するものではないことが理解されよう。
【０１７２】
いくつかの実施形態は、「結合」及び「接続」という表現ならびにこれらの複数の派生語を用いて説明されてもよい。これらの用語は、互いの類義語として意図されるものではない。例えば、いくつかの実施形態は、「接続」及び／または「結合」という用語を用いて説明されることにより、２つまたはそれより多くのエレメントが互いに直接物理的または電気的に接触することを示してもよい。しかしながら、「結合」という用語は、２つまたはそれより多くのエレメントが互いに直接接触しておらず、互いにさらに連携または相互作用することをさらに意味してもよい。
【０１７３】
具体的に他の説明がされない限り、「処理」、「コンピューティング」、「算出」、「決定」等の用語は、コンピュータもしくはコンピューティングシステム、または、物理（例えば、電子）量として表されるコンピューティングシステムのレジスタ及び／またはメモリ内のデータを、同様に物理量として表されるコンピューティングシステムのメモリ、レジスタまたは他の情報ストレージ、送信または表示デバイス内の他のデータに操作及び／または変換する同様の電子コンピューティングデバイス作用及び／または処理を指すことが理解されよう。複数の実施形態は、この文脈に限定されない。
【０１７４】
本明細書において説明された複数の方法は、説明された順序または任意の特定の順序で実行される必要はないことに留意すべきである。さらに、本明細書において特定された複数の方法に関して説明された様々な機能は、連続的または並列的な態様で実行可能である。
【０１７５】
複数の具体的な実施形態が本明細書において図示及び説明されたが、同じ目的を達成するように計算された任意の構成が、示された複数の具体的な実施形態の代割となり得ることを理解すべきである。本開示は、様々な実施形態の全ての適応またはバリエーションを包含することが意図される。上述された説明は、例示的態様でなされたものであり、限定的なものではないことを理解されたい。複数の上述された実施形態と、本明細書では具体的に説明されていない複数の他の実施形態との組み合わせは、上述された説明を読めば、当業者にとっては自明であろう。そこで、様々な実施形態の範囲は、上述の構成、構造及び方法が用いられる任意の他の用途を含む。
【０１７６】
本開示の要約書は、３７Ｃ．Ｆ．Ｒ．セクション１．７２（ｂ）に準拠するように提供されることが強調されており、これは、読者が技術的開示の性質を迅速に確かめることを可能とするための要約書を要求している。これは、それを特許請求の範囲または意味を解釈または限定するためには用いられないという理解のもとに示される。さらに、上述の詳細な説明において、開示を効率的なものにすることを目的とし、様々な特徴が単一の実施形態においてグループ化されて説明されていることがわかる。本開示の方法は、特許請求される実施形態が各請求項において明示的に記載されるよりも多くの特徴を必要とするとの意図を反映するものとして解釈されるものではない。むしろ、以下の特許請求の範囲が反映するように、発明の主題は、単一の開示された実施形態の全ての機能よりも、少ない。そこで、以下の特許請求の範囲は、本明細書において詳細な説明に組み込まれ、各請求項は、それ自体の個別の好適な実施形態に基づく。添付の特許請求の範囲において、用語「含む（including）」及び「その中で（in which）」は、それぞれ、個別の用語「備える（comprising）」及び「そこで（wherein）」と同等な平易な英語として使用される。さらに、「第１の」、「第２の」及び「第３の」等の用語は、単にラベルとして使用されており、これらの対象物に数値的な要件を課すことが意図されるものではない。
【０１７７】
主題が、構造的特徴及び／または方法論的作用に特有の言語で説明されているが、添付の特許請求の範囲において規定される主題は、上述した具体的な特徴または作用に必ずしも限定されるものではないことを理解されたい。むしろ、上述した具体的な特徴及び作用は、特許請求の範囲を実現する例示的な形態として開示される。
【図１】
0006263817.tif 000002
【図２】
0006263817.tif 000003
【図３】
0006263817.tif 000004
【図４】
0006263817.tif 000005
【図５】
0006263817.tif 000006
【図６】
0006263817.tif 000007
【図７】
0006263817.tif 000008
【図８】
0006263817.tif 000009
【図９】
0006263817.tif 000010
【図１０】
0006263817.tif 000011
【図１１】
0006263817.tif 000012